(57)【要約】  メモリは、リリースに関連するデータの識別、検証、認証および／または使用に関係するリリース識別子情報、および、該リリースに関連する知的所有権を含むデータ構造を格納する。該データ構造は、発行者コードを含む第１のデータ要素、知的所有権束番号を含む第２のデータ要素、および、チェック文字を含む第３のデータ要素をさらに含む。もう１つのメモリ、または代替的には同じメモリは、ライセンスに関連するデータの識別、検証、認証および／または使用に関係するライセンス識別子情報、および、このデータに関連する知的所有権を含むデータ構造を格納する。該データ構造は、発行者コードを含む第１のデータ要素、ライセンス参照を含む第２のデータ要素、および、チェック文字を含む第３のデータ要素をさらに含む。【特許請求の範囲】
【請求項１】
データ配列、データ集合およびデータ・セットのうち少なくとも１つ及び該データに関連する少なくとも１つの知的所有権を含むデータに係る識別、検証、認証および使用のうち少なくとも１つに関するリリース識別子情報を含むデータ構造を格納するメモリであって、該データ構造は、命令がデータ・プロセッサおよびコンピュータのうちの少なくとも１つによって実施されることに応答して前記メモリから検索され、前記データ構造は、
発行者コードを含む第１のデータ要素と、
知的所有権バンドル（束）番号を含む第２のデータ要素と、
チェック文字を含む第３のデータ要素とを備え、前記第１、第２および第３のデータ要素は、前記データの識別、検証、認証および使用のうちの少なくとも１つにおいて使用されることを特徴とするメモリ。
【請求項２】
前記発行者コードは、リリース識別子の発行を担う主体を一意に識別することを特徴とする請求項１記載のメモリ。
【請求項３】
前記知的所有権バンドル（束）番号が、前記発行者コードを割り当てられている主体によって一意に割り振られて、リリースに関連する知的所有権アセットの集合および添付メタデータが識別されることを特徴とする請求項１記載のメモリ。
【請求項４】
前記チェック文字は、リリース識別子を前記メモリへ正確に入力するのを容易にするために使用されることを特徴とする請求項１記載のメモリ。
【請求項５】
前記データ構造は、配信属性拡張子を含む第４のデータ要素をさらに含むことを特徴とする請求項１記載のメモリ。
【請求項６】
前記配信属性拡張子が、前記発行者コードを割り当てられている主体によって一意に割り振られる結果、リリースの異なるバージョンの間で区別されることを特徴とする請求項５記載のメモリ。
【請求項７】
前記データ構造は、リリース識別子スキームを含む第５のデータ要素をさらに含むことを特徴とする請求項１記載のメモリ。
【請求項８】
前記リリース識別子スキームは、リリースのための識別スキームを一意に識別することを特徴とする請求項７記載のメモリ。
【請求項９】
データ配列、データ集合およびデータ・セットのうち少なくとも１つ及び該データに関連する少なくとも１つの知的所有権を含むデータに係る識別、検証、認証および使用のうち少なくとも１つに関するライセンス識別子情報を含むデータ構造を格納するメモリであって、該データ構造は、命令がデータ・プロセッサおよびコンピュータのうちの少なくとも１つによって実施されることに応答して前記メモリから検索され、前記データ構造は、
発行者コードを含む第１のデータ要素と、
ライセンス参照を含む第２のデータ要素と、
チェック文字を含む第３のデータ要素とを備え、前記第１、第２および第３のデータ要素は、前記データの識別、検証、認証および使用のうちの少なくとも１つにおいて使用されることを特徴とするメモリ。
【請求項１０】
前記発行者コードは、ライセンス識別子の発行を担う主体を一意に識別することを特徴とする請求項９記載のメモリ。
【請求項１１】
前記ライセンス参照が、前記発行者コードを割り当てられている主体によって一意に割り振られて、ライセンス、および、該ライセンスに関連する添付メタデータが識別されることを特徴とする請求項９記載のメモリ。
【請求項１２】
前記チェック文字は、リリース識別子を、前記メモリへ正確に入力するのを容易にするために使用されることを特徴とする請求項９記載のメモリ。
【請求項１３】
前記データ構造は、協会補助拡張子を含む第４のデータ要素をさらに含むことを特徴とする請求項９記載のメモリ。
【請求項１４】
前記協会補助拡張子が、前記発行者コードを割り当てられている主体によって一意に割り振られる結果、ライセンスの異なるバージョンの間で区別されることを特徴とする請求項１３記載のメモリ。
【請求項１５】
前記データ構造は、識別子スキームを含む第５のデータ要素をさらに含むことを特徴とする請求項９記載のメモリ。
【請求項１６】
前記識別子スキームは、ライセンスのための識別スキームを一意に識別することを特徴とする請求項１５記載のメモリ。
【請求項１７】
データ配列、データ集合およびデータ・セットのうち少なくとも１つ及び該データに関連する少なくとも１つの知的所有権を含むデータに係る識別、検証、認証および使用のうち少なくとも１つに関するリリース識別子情報を含むデータ構造を格納するメモリであって、該データ構造は、命令がデータ・プロセッサおよびコンピュータのうちの少なくとも１つによって実施されることに応答して前記メモリから検索され、前記データ構造は、
識別子スキームを含む第１のデータ要素であって、該識別子スキームは２個の有効文字を含む第１のデータ要素と、
発行者コードを含む第２のデータ要素であって、該発行者コードは５個の有効文字を含み、前記第１のデータ要素は該第２のデータ要素に先行する第２のデータ要素と、
知的所有権バンドル番号を含む第３のデータ要素であって、該知的所有権バンドルは１０個の有効文字を含み、前記第２のデータ要素は該第３のデータ要素に先行し、有効文字は、ローマ字アルファベットのうち「Ｉ」および「Ｏ」を除くいずれかの大文字、および、いずれかのアラビア数字のうちの１つであり、前記有効文字はＡＳＣＩＩコードを使用して定義される第３のデータ要素と、
チェック文字を含む第４のデータ要素であって、該チェック文字は、ローマ字アルファベットのいずれかの大文字、および、いずれかのアラビア数字のうちの１つを含む１文字を含み、前記文字はＡＳＣＩＩコードを使用して定義され、前記第３のデータ要素は該第４のデータ要素に先行する第４のデータ要素と
を具備することを特徴とするメモリ。
【請求項１８】
前記第１、第２、第３および第４のデータ要素はハイフンによって区切られることを特徴とする請求項１７記載のメモリ。
【請求項１９】
データ配列、データ集合およびデータ・セットのうち少なくとも１つ及び該データに関連する少なくとも１つの知的所有権を含むデータに係る識別、検証、認証および使用のうち少なくとも１つに関するリリース識別子情報を含むデータ構造を格納するメモリであって、該データ構造は、命令がデータ・プロセッサおよびコンピュータのうちの少なくとも１つによって実施されることに応答して前記メモリから検索され、前記データ構造は、
識別子スキームを含む第１のデータ要素であって、該識別子スキームは２個の有効文字を含む第１のデータ要素と、
発行者コードを含む第２のデータ要素であって、該発行者コードは５個の有効文字を含み、前記第１のデータ要素は該第２のデータ要素に先行する第２のデータ要素と、
知的所有権バンドル番号を含む第３のデータ要素であって、該知的所有権バンドルは７個の有効文字を含み、前記第２のデータ要素は該第３のデータ要素に先行する第３のデータ要素と、
配信属性拡張子を含む第４のデータ要素であって、該配信属性拡張子は３個の有効文字を含み、前記第３のデータ要素は該第４のデータ要素に先行し、有効文字は、ローマ字アルファベットのうち「Ｉ」および「Ｏ」を除くいずれかの大文字、および、いずれかのアラビア数字のうちの１つであり、前記有効文字はＡＳＣＩＩコードを使用して定義される第４のデータ要素と、
チェック文字を含む第５のデータ要素であって、該チェック文字は、ローマ字アルファベットのいずれかの大文字、および、いずれかのアラビア数字のうちの１つを含む１文字を含み、該文字はＡＳＣＩＩコードを使用して定義され、前記第４のデータ要素は該第５のデータ要素に先行する第５のデータ要素と
を具備することを特徴とするメモリ。
【請求項２０】
前記第１、第２、第３、第４および第５のデータ要素はハイフンによって区切られることを特徴とする請求項１９記載のメモリ。
【請求項２１】
データ配列、データ集合およびデータ・セットのうち少なくとも１つ及び該データに関連する少なくとも１つの知的所有権を含むデータに係る識別、検証、認証および使用のうち少なくとも１つに関するライセンス識別子情報を含むデータ構造を格納するメモリであって、該データ構造は、命令がデータ・プロセッサおよびコンピュータのうちの少なくとも１つによって実施されることに応答して前記メモリから検索され、前記データ構造は、
識別子スキームを含む第１のデータ要素であって、該識別子スキームは２個の有効文字を含む第１のデータ要素と、
発行者コードを含む第２のデータ要素であって、該発行者コードは５個の有効文字を含み、前記第１のデータ要素は該第２のデータ要素に先行する第２のデータ要素と、
ライセンス参照を含む第３のデータ要素であって、該ライセンス参照は１０個の有効文字を含み、前記第２のデータ要素は該第３のデータ要素に先行し、該第３のデータ要素は第４のデータ要素に先行し、有効文字は、ローマ字アルファベットのうち「Ｉ」および「Ｏ」を除くいずれかの大文字、および、いずれかのアラビア数字のうちの１つであり、前記有効文字はＡＳＣＩＩコードを使用して定義される第３のデータ要素と、
チェック文字を含む第４のデータ要素であって、該チェック文字は、ローマ字アルファベットのいずれかの大文字、および、いずれかのアラビア数字のうちの１つを含む１文字を含み、前記文字はＡＳＣＩＩコードを使用して定義され、前記第３のデータ要素は該第４のデータ要素に先行する第４のデータ要素と
を具備することを特徴とするメモリ。
【請求項２２】
前記第１、第２、第３および第４のデータ要素はハイフンによって区切られることを特徴とする請求項２１記載のメモリ。
【請求項２３】
データ配列、データ集合およびデータ・セットのうち少なくとも１つ及び該データに関連する少なくとも１つの知的所有権を含むデータに係る識別、検証、認証および使用のうち少なくとも１つに関するライセンス識別子情報を含むデータ構造を格納するメモリであって、該データ構造は、命令がデータ・プロセッサおよびコンピュータのうちの少なくとも１つによって実施されることに応答して前記メモリから検索され、前記データ構造は、
識別子スキームを含む第１のデータ要素であって、該識別子スキームは２個の有効文字を含む第１のデータ要素と、
発行者コードを含む第２のデータ要素であって、該発行者コードは５個の有効文字を含み、前記第１のデータ要素は該第２のデータ要素に先行する第２のデータ要素と、
ライセンス参照を含む第３のデータ要素であって、該ライセンス参照は７個の有効文字を含み、前記第２のデータ要素は該第３のデータ要素に先行する第３のデータ要素と、
協会補助拡張子を含む第４のデータ要素であって、該協会補助拡張子は３個の有効文字を含み、前記第３のデータ要素は該第４のデータ要素に先行し、有効文字は、ローマ字アルファベットのうち「Ｉ」および「Ｏ」を除くいずれかの大文字、および、いずれかのアラビア数字のうちの１つであり、前記有効文字はＡＳＣＩＩコードを使用して定義される第４のデータ要素と、
チェック文字を含む第５のデータ要素であって、該チェック文字は、ローマ字アルファベットのいずれかの大文字、および、いずれかのアラビア数字のうちの１つを含む１文字を含み、前記文字はＡＳＣＩＩコードを使用して定義され、前記第４のデータ要素は該第５のデータ要素に先行する第５のデータ要素と
を具備することを特徴とするメモリ。
【請求項２４】
前記第１、第２、第３、第４および第５のデータ要素はハイフンによって区切られることを特徴とする請求項２３記載のメモリ。
【請求項２５】
少なくとも１つのリリースの識別および記述を管理する方法において、
前記少なくとも１つのリリースのコンテンツを決定し、
前記少なくとも１つのリリースのうち一意のものに関連する少なくとも１つのリリース識別子を得、
前記少なくとも１つのリリースのコンテンツに関連する音楽作品詳細を得、
少なくとも１つのレーベル・コピーをコンパイルする方法であって、該少なくとも１つのレーベル・コピーは、前記少なくとも１つのリリースのコンテンツ、前記少なくとも１つのリリース識別子および前記音楽作品詳細を含むことを特徴とする方法。
【請求項２６】
前記少なくとも１つのリリース識別子を得るステップは、少なくとも１つの発行者コードを得るステップをさらに含み、該発行者コードは中央登録サービスによって発行され、前記少なくとも１つのリリースを発行する少なくとも１つの発行主体のうち一意のものに割り当てられることを特徴とする請求項２５記載の方法。
【請求項２７】
前記少なくとも１つのリリース識別子を得るステップは、少なくとも１つの知的所有権バンドル番号を得るステップをさらに含み、該少なくとも１つの知的所有権バンドル番号は、発行者コードを割り当てられている主体によって一意に割り振られることで前記少なくとも１つのリリースに関連する知的所有権アセットの集合および添付メタデータが識別されることを特徴とする請求項２５記載の方法。
【請求項２８】
前記少なくとも１つのリリース識別子を得るステップは、チェック文字を計算するステップをさらに含むことを特徴とする請求項２５記載の方法。
【請求項２９】
前記少なくとも１つのリリース識別子を得るステップは、配信属性拡張子を得るステップをさらに含み、該配信属性拡張子は、発行者コードを割り当てられている主体によって一意に割り振られることで前記少なくとも１つのリリースの異なるバージョンの間で区別されることを特徴とする請求項２５記載の方法。
【請求項３０】
前記少なくとも１つのリリース識別子を得るステップは、リリース識別子スキームを得るステップをさらに含み、該リリース識別子スキームは、前記少なくとも１つのリリースのための識別スキームを一意に識別することを特徴とする請求項２５記載の方法。
【請求項３１】
少なくとも１つのリリースに関連する少なくとも１つのライセンスの識別および記述を管理する方法において、
少なくとも１つのライセンシング主体に前記少なくとも１つのリリースを通知するステップと、
前記少なくとも１つのライセンスの条件を決定するステップであって、該条件は、前記少なくとも１つのライセンシング主体と前記少なくとも１つのリリースを発行する少なくとも１つの発行主体との間で交渉されるステップと、
前記少なくとも１つのライセンスのうち一意のものに関連付けられた少なくとも１つのライセンス識別子を生成するステップと
を具備することを特徴とする方法。
【請求項３２】
前記少なくとも１つのライセンス識別子を得るステップは、少なくとも１つの発行者コードを生成するステップをさらに含み、該発行者コードは中央登録サービスによって発行され、前記少なくとも１つのライセンスを発行する前記少なくとも１つのライセンシング主体のうち一意のものに割り当てられることを特徴とする請求項３１記載の方法。
【請求項３３】
前記少なくとも１つのライセンス識別子を得るステップは、少なくとも１つのライセンス参照を得るステップをさらに含み、該少なくとも１つのライセンス参照は、発行者コードを割り当てられている前記少なくとも１つのライセンシング主体のうち一意のものによって一意に割り振られることで、前記少なくとも１つのライセンスに関連する前記少なくとも１つのライセンスおよび添付メタデータが識別されることを特徴とする請求項３１記載の方法。
【請求項３４】
前記少なくとも１つのライセンス識別子を得るステップは、チェック文字を計算するステップをさらに含むことを特徴とする請求項３１記載の方法。
【請求項３５】
前記少なくとも１つのライセンス識別子を生成するステップは、協会補助拡張子を得るステップをさらに含み、該協会補助拡張子は、発行者コードを割り当てられている前記少なくとも１つのライセンシング主体の１つによって一意に割り振られることで前記少なくとも１つのライセンスの異なるバージョンの間で区別されることを特徴とする請求項３１記載の方法。
【請求項３６】
前記少なくとも１つのライセンス識別子を得るステップは、ライセンス識別子スキームを得るステップをさらに含み、該ライセンス識別子スキームは、前記少なくとも１つのライセンスのための識別スキームを一意に識別することを特徴とする請求項３１記載の方法。
【請求項３７】
１対多関係が前記少なくとも１つのライセンスと前記少なくとも１つのリリースとの間にあり、前記少なくとも１つのライセンス識別子によって識別された前記少なくとも１つのライセンスが複数のリリースに関連付けられるようになることを特徴とする請求項３１記載の方法。
【請求項３８】
１対多関係が前記少なくとも１つのライセンスと前記少なくとも１つのリリースとの間にあり、前記少なくとも１つのリリースが、前記少なくとも１つのライセンス識別子によって識別される複数のライセンスに関連付けられるようになることを特徴とする請求項３１記載の方法。
【請求項３９】
リリース識別子を管理する方法において、
少なくとも１つの発行者コードを発行するステップであって、該少なくとも１つの発行者コードは中央登録サービスによって発行され、少なくとも１つの発行主体のうち一意のものに割り当てられるステップと、
前記少なくとも１つの発行者コードを含むリリース識別子を有する少なくとも１つのリリースを発行するステップであって、該少なくとも１つのリリースは、前記少なくとも１つの発行主体のうち前記一意のものによって発行されるステップと
を具備することを特徴とする方法。
【請求項４０】
ライセンス識別子を管理する方法において、
少なくとも１つの発行者コードを発行するステップであって、該少なくとも１つの発行者コードは中央登録サービスによって発行され、少なくとも１つのライセンシング主体のうち一意のものに割り当てられるステップと、
前記少なくとも１つの発行者コードを含むライセンス識別子を有する少なくとも１つのライセンスを発行するステップであって、該少なくとも１つのライセンスは、前記少なくとも１つのライセンシング主体のうち前記一意のものによって発行されるステップと
を具備することを特徴とする方法。
【請求項４１】
少なくとも１つのリリースに関する情報を交換する方法において、
第１の主体によって、前記少なくとも１つのリリースに関連付けられたリリース識別子およびメタデータを、該第１の主体に関連する第１のメーカ独自のフォーマットから標準フォーマットへ変換するステップであって、該標準フォーマットは標準メタデータ・スキーマを含むステップと、
前記第１の主体によって、前記少なくとも１つのリリースに関連付けられた前記リリース識別子および前記メタデータを、前記標準メタデータ・スキーマ内の適切なフィールドにマッピングするステップと、
前記リリース識別子およびメタデータを前記第１の主体から第２の主体に送信するステップと、
前記第２の主体によって、前記少なくとも１つのリリースに関連付けられた前記リリース識別子および前記メタデータを、前記標準フォーマットから前記第２の主体に関連する第２のメーカ独自のフォーマットへ変換するステップであって、前記リリース識別子および前記メタデータは、前記少なくとも１つのリリースを識別および記述するステップと
を具備することを特徴とする方法。
【請求項４２】
少なくとも１つのライセンスに関する情報を交換する方法において、
第１の主体によって、前記少なくとも１つのライセンスに関連付けられたライセンス識別子およびメタデータを、前記第１の主体に関連する第１のメーカ独自のフォーマットから標準フォーマットへ変換するステップであって、該標準フォーマットは標準メタデータ・スキーマを含むステップと、
前記第１の主体によって、前記少なくとも１つのライセンスに関連付けられた前記ライセンス識別子および前記メタデータを、前記標準メタデータ・スキーマ内の適切なフィールドにマッピングするステップと、
前記ライセンス識別子およびメタデータを前記第１の主体から第２の主体に送信するステップと、
前記第２の主体によって、前記少なくとも１つのライセンスに関連付けられた前記ライセンス識別子および前記メタデータを、前記標準フォーマットから前記第２の主体に関連する第２のメーカ独自のフォーマットへ変換するステップであって、前記ライセンス識別子および前記メタデータは前記少なくとも１つのライセンスを識別および記述するステップと
を具備することを特徴とする方法。
【請求項４３】
音楽作品または録音の少なくとも１つのリリースに関する情報を交換する方法において、
第１の主体によって、前記少なくとも１つのリリースに関連付けられたリリース識別子およびデータを、該第１の主体に関連する第１のフォーマットから標準フォーマットへ変換するステップであって、該標準フォーマットはデータ・スキーマを含むステップと、
前記第１の主体によって、前記少なくとも１つのリリースに関連付けられた前記リリース識別子および前記データを、前記データ・スキーマ内のフィールドにマッピングするステップと、
前記リリース識別子および前記データを前記第１の主体から第２の主体に送信するステップと、
前記第２の主体によって、前記少なくとも１つのリリースに関連付けられた前記リリース識別子および前記データを、前記標準フォーマットから前記第２の主体に関連する第２のフォーマットへ変換するステップであって、前記リリース識別子および前記データは前記少なくとも１つのリリースを識別および記述するステップと
を具備することを特徴とする方法。
【請求項４４】
音楽作品または録音の少なくとも１つのリリースに関連付けられた少なくとも１つのライセンスに関する情報を交換する方法において、
第１の主体によって、前記少なくとも１つのライセンスに関連付けられたライセンス識別子およびデータを、該第１の主体に関連する第１のフォーマットから標準フォーマットへ変換するステップであって、該標準フォーマットはデータ・スキーマを含むステップと、
前記第１の主体によって、前記少なくとも１つのライセンスに関連付けられた前記ライセンス識別子および前記データを前記データ・スキーマ内のフィールドにマッピングするステップと、
前記ライセンス識別子および前記データを前記第１の主体から第２の主体に送信するステップと、
前記第２の主体によって、前記少なくとも１つのライセンスに関連付けられた前記ライセンス識別子および前記データを、前記標準フォーマットから前記第２の主体に関連する第２のフォーマットへ変換するステップであって、前記ライセンス識別子および前記データは前記少なくとも１つのライセンスを識別および記述するステップと
を具備することを特徴とする方法。
【請求項４５】
作品または音の少なくとも１つのリリースに関する情報を交換する方法において、
第１の主体によって、前記少なくとも１つのリリースに関連付けられたリリース識別子およびデータを、実質的に標準のフォーマットで割り当てるステップであって、該実質的に標準のフォーマットはデータ・スキーマを含むステップと、
前記第１の主体によって、前記少なくとも１つのリリースに関連付けられた前記リリース識別子および前記データを前記データ・スキーマ内の適切なフィールドにマッピングするステップと、
前記リリース識別子および前記データを前記第１の主体から第２の主体に送信するステップと、
前記第２の主体によって、前記実質的に標準のフォーマットを使用する前記少なくとも１つのリリースに関連付けられた前記リリース識別子および前記データを、前記リリース識別子および前記データを使用して処理することにより、前記第２の主体のための前記少なくとも１つのリリースを識別および記述するステップと
を具備することを特徴とする方法。
【請求項４６】
作品または音の少なくとも１つのリリースに関連付けられた少なくとも１つのライセンスに関する情報を交換する方法において、
第１の主体によって、前記少なくとも１つのライセンスに関連付けられたライセンス識別子およびデータを実質的に標準のフォーマットで割り当てるステップであって、該標準フォーマットはデータ・スキーマを含むステップと、
前記第１の主体によって、前記少なくとも１つのライセンスに関連付けられた前記ライセンス識別子および前記データを前記データ・スキーマ内の適切なフィールドにマッピングするステップと、
前記ライセンス識別子および前記データを前記第１の主体から第２の主体に送信するステップと、
前記第２の主体によって、前記標準フォーマットを使用する前記少なくとも１つのライセンスに関連付けられた前記ライセンス識別子および前記データを、前記ライセンス識別子および前記データを使用して処理することにより、前記第２の主体のための前記少なくとも１つのライセンスを識別および記述するステップと
を具備することを特徴とする方法。
【発明の詳細な説明】
【技術分野】
【０００１】
本発明は、概略データおよび／または著作権取得されたデータのためのリリースおよび／またはライセンスの管理に係り、特に、例えば音楽業界（産業）における、特定のリリースおよび／またはライセンスを識別するための一意の（ユニークな）識別子、ならびに、データおよび／または著作権取得されたデータのための特定のリリースおよび／またはライセンスに関連した記述情報の割り当ておよび管理に関する。
【背景技術】
【０００２】
本出願は、参照により本明細書に組み込まれている、２００２年１月２２日に出願した米国特許仮出願第６０／３４９，４１６号に基づく優先権を主張するものである。
【０００３】
音楽作品に関連する権利の行使は、音楽著作権協会（以下、「協会」ともいう。）のためのトランザクションの基本単位である。したがって、音楽作品の識別は、協会のビジネス・プロセスの中心である。協会は、所属会員が所有または管理する音楽作品を協会に通知することを要求する。協会はまた、他の協会が異なる国のレパートリ内の作品を協会に通知することも要求し、協会は、それらのライセンシーが、協会によって管理される様々なライセンスの下で使用されている音楽作品を詳述する情報を提供することを要求する。
【０００４】
協会およびそのビジネス・パートナー達は、音楽作品の識別および／または記述の活動の実行について相当な資源を投資してきており、これが、音楽作品に関連する識別および記述情報のためのメーカ独自の規格の開発につながっている。しかし、取引がよりグローバルになってきているので、これらのメーカ独自の規格は、特にライセンシーに関して、より非効果的になってきているが、これは、多数の言語における、かつ／または、様々な異なるメッセージ・フォーマットを使用した際におけるデータ転送の複雑さのためである。
【０００５】
音楽活用のためのインターネットおよび他のグローバル・オンライン環境の出現は、複雑さをより重層化させる。すなわち、情報が交換される速度、および、質問に対してビジネス・パートナーから返されると期待される回答の速度のゆえに、情報ソースが正確かつ容易にアクセス可能であることがこれまでよりも重要になっている。音楽業界（産業）内では、これは、例えば、リリースおよびこれらのリリースに関連するライセンスを正確に識別、記述および追跡する要件につながる。
【０００６】
このような情報をビジネス・パートナーとの間で交換することは、クリアテキスト中に、あるいは、たとえば業務上の理由が存在する場合、リリースおよびライセンスに関係する情報の安全な交換を可能にする暗号化メッセージとして、発生する可能性が不確かだが存在する。
【０００７】
米国特許第６，２６３，３４１号（以下、「’３４１特許」ともいう。）は、参照により本明細書に組み込まれる。‘３４１特許は、関心のあるデータを含む複数のデータ・オブジェクトを識別および定義し、かかるデータ・オブジェクトの間の関係を公式化するステップを含む情報リポジトリ（情報貯蔵場）においてデータをモデリングするための方法を開示している。
【０００８】
図１は、情報リポジトリを、企業データ・モデリングへ適用をする場合を例示するが、これは一意の企業データ要件を識別し、これらのデータ定義がスチュワーディング・アプリケーション（幹事役アプリケーション）によって一度だけモデリングされることを保証するプロセスである。オブジェクトは、あるコンピュータ・アプリケーションにおいてモデリングされたデータの技術的定義である属性９００を含む。属性９００は製品名、顧客番号、従業員番号、および、企業にとって関心のある他のデータといった基本的なデータ定義である。別のオブジェクト１２はエンティティ９０１であり、これは属性９００の論理集合である。エンティティ９０１は属性９００を含む（９０２）。包含関係９０２は、各エンティティ９０１と自身が有する属性との間の１対多の関係を文書化する。この関係は属性名と共に、各属性を一意に識別する役割を果たす。属性９００を所与のエンティティ９０１に編成することは一般に、ビジネス・ルール、パフォーマンスの検討事項、データ・アクセス要件、またはこれらの組合せに基づく。エンティティ９０１は、従業員を定義する、顧客を定義する、あるいは、他のエンティティ９０１の間のつながりを確立するなどの特定のタスクを実行するデータ集合を表す。
【０００９】
各エンティティ９０１は、少なくとも１つの識別子（図示せず）を有するように定義される。各識別子は、エンティティ９０１を一意に識別する属性９００の順序付き集合である。好ましくは、識別子は特定のエンティティ９０１上のインデックスまたは鍵として実施される。ビュー（図示せず）は、エンティティ９０１が特定の識別子によってアクセスされるときに戻される属性９００の集合である。ビューは、識別子を含むエンティティ９０１内のあらゆる属性９００を戻すことができ、あるいは、これを、データベース上で動作するソフトウェアによって人為的に制限することができる。
【００１０】
米国特許第５，７６５，１５２号（以下、「’ １５２特許」ともいう。）は、参照により本明細書に組み込まれる。‘１５２特許は、特にコンピュータ・ネットワークを介した、デジタルまたは電子メディアとして配信される創作作品の安全性高い電子著作権管理、および、所有権の自動識別のためのシステムおよび方法を開示している。本発明の一態様は、電子メディアを安全なドキュメント・フォーマット（「ドキュメント」）にパッケージ化するシステムを提供し、これは、メディアについてのデータ・コンテナ、および、メディアを見るためか、あるいはそうでない場合はメディアにアクセスするために必要とされた最小限の認証を特定する最小限の許可データ・セットを含む。ドキュメントはまた、ドキュメント・ヘッダ、ドキュメント識別子、メディアの文献履歴を維持するソース作品拡張モジュール、および、メディアを認証するためのデジタル署名も含むことができる。ドキュメントおよび関連付けられたネットワーク・ベースのツールは、著作権取得された作品への最小限の認証の添付、および、メディアに係る引き続いてのオンライン・ライセンシングを可能にする。
【００１１】
図２のドキュメント９３０は、電子メディアのための安全なコンテナを提供し、これは、音楽スコアとグラフィカル・イメージを結合したものなどの、異種のマルチメディア・データ・タイプを含む。より詳細には、ドキュメント９３０は、データ・コンテナ９３３として示される、バイナリ・データ・オブジェクトをカプセル化するパッケージを提供し、例示したデータ・コンポーネント９３１、９３２、９３４、９３５および９３６のいくつかまたはすべてを含むことができる。
【００１２】
ドキュメント識別子９３２はドキュメント９３０を、ドキュメントが登録されている登録サーバによって一意的に識別し、そのサーバ上のドキュメントの登録またはインデックス番号を一意的に識別する。この登録コードは典型的には、サーバ名および登録インデックスを含む。インターネットのドメイン・ネーム・サービス（ＤＮＳ）と共に動作する登録サーバ相互参照テーブルは、登録サーバの実際のネットワーク・アドレス（典型的には、ＴＣＰ／ＩＰアドレス）を発見するために使用される。本発明の一実施形態では、進行中の作品は、登録プロセスを通じて認証されていない、ローカルにアクセス可能なファイルである。
【００１３】
米国特許出願第２００１００４４７８１号は、参照により本明細書に組み込まれ、通信プロジェクトのためのコンテンツのライセンシングおよび管理を促進させるためのインタラクティブなプロセスおよび装置を開示している。このプロセスにより、ユーザは、プロジェクト情報、技術的仕様および／またはライセンシング条件を収集、編成および利用することによって、多数のコンテンツ・ライセンサーからのコンテンツの多数の部分に関係するライセンシング契約の交渉、実施、および支払いを合理化することができる。この装置によりユーザは、コンテンツを調査し、取得し、追跡し、ライセンス供与するために必要ないくつかの管理タスクを促進させることができる。
【００１４】
このプロセスは、図３に例示するように、コンテンツのライセンシング、製造中のコンテンツおよび他の価値を有する素材の管理および追跡、予算支出の追跡、コンテンツについての技術的要件の管理、契約上の責任の遵守、ならびに、レコードの記録保管を容易にする。これを４つのセクションに分割することができ、各々はより大きいプロセス内のタスクのファミリに基づいている。
【００１５】
セクションＡは、プロセスの最初のステップであり、コンテンツ・ベンダおよびサービス・プロバイダなどの第三者と効率的に通信する（および、その通信を文書化する）ために必要な情報の収集および格納を含む。ユーザが電子ストレージ（貯蔵）・ファイルを使用してこの情報を格納することを選択する場合、ユーザはさらに、関連情報を電子ストレージ（貯蔵）・ファイルから抽出するためのテンプレートを作成することによって自分の作業を促進させることができ、これを通信、ドキュメンテーション、およびレポート・フォーマットに編成することができる。この装置は多数の目的のために情報の同じ部分にアクセスすることができるので、ユーザは情報の各部分を一度だけ入力して、自分が必要とする管理通信およびレコードのほとんどすべてを作成することができる。また、この装置により、ユーザは通信、ドキュメンテーションおよびレポートを、コンテンツ・ベンダ、プロジェクト・スタッフおよび他の第三者に直接、電子的に送信することもできる。
【００１６】
プロセスのセクションＢにより、ユーザは、コンテンツを含みつつこれのみに限定されないが価値ある素材を、製造手順の全体に亘って追跡することができる。ユーザは、自分が受信する有価な素材の各部分またはグループに対してサブミッション情報を記録する。ユーザは、有価な素材の各送信および／または戻りに対して類似の情報を記録する。受信され、第三者に転送され、それらのソースに戻されたすべての素材のレコードを作成することによって、ユーザは正確に、自分が受信した価値ある素材のすべてを明らかにすることができる。サブミッション、転送および戻りレコードをこの装置の電子ストレージ（貯蔵）・ファイル内に格納すること、および、セクションＡにおけるものに類似したテンプレート・プロセスを使用することによって、ユーザは、通信、ドキュメントおよびレポートを作成して、自分を、各サブミッション、転送および戻りの完了および文書化において支援することができる。
【００１７】
プロセスのセクションＣはマスター、作業、および操作されたコンテンツ・コピーを、それらのコンテンツ・データ、技術的仕様、およびライセンシング条件にリンクさせる。次いで、ユーザは自分のプロジェクトのドラフトを、デザイン／編集システム（ここでは装置の外側に図示）を使用して作成し、必要とするのに応じてその中でコンテンツを操作することができる。ドラフト内で使用された操作コンテンツ・コピー内の識別リンクにアクセスし、これを他のコンテンツ・レコードにマッチさせてから、この装置は、ユーザが迅速かつ容易に金融、契約および技術的責任、および／または自分のプロジェクト・ドラフトの実行可能性をレビューする際に支援する。当該装置はまた、ユーザが、クレジット・ラインおよび格納場所リストなどといったデザインについての詳細を含む製造レポートを作成する際にも支援する。
【００１８】
セクションＤでは、デザインが完成されているとき、ユーザがこの装置を使用して最終価格仕様をコンテンツの各部分について格納することができる。ユーザがすべての管理、契約、技術および使用情報を電子的に格納している場合、該ユーザは、適切な情報にアクセスしこれを編成するためのテンプレートを使用しこの装置を使用して使用通知を作成することができる。
【００１９】
加えて、ユーザは、支払い情報など、自分のライセンシング条件への遵守をこの装置に記録することができる。ユーザはこの装置を、他の選択対象のモジュール（会計、出荷、印刷および／またはプロジェクト管理システムなど）に、通信リンクを使用してリンクさせることで、支払いおよび／またはライセンシング条件への遵守を自分自身のレコードと統合することができる。
【００２０】
ユーザはプロジェクト・レコードのすべてを記録保管することができる。ユーザは、デザイン／編集システムまたは印刷機仕様からのデザイン・レイアウトの複製などといった製造プロセスの他のセクションからの素材を含むように希望し得る。ユーザはプロジェクト・レコードを電子的形態（ＣＤ  ＲＯＭ上など）において、ハード・コピーの形態において、あるいは両者の組合せにおいて格納するように選択することができる。ユーザは他のプロジェクトからのレコードを含むより大きい保管記録内のレコードを記録保管することを望むことができる。
【００２１】
最後に、ユーザは保管記録内のプロジェクト・レコードにアクセスして、プロジェクトの様々な詳細を後日レビューし、利用することを望むことができる。例えば、ユーザは、ライセンシング条件への遵守を検証し、後のプロジェクトの編集／変更のためにコンテンツを再ライセンシングする際にユーザを支援するためのフォームおよびドキュメントを作成し、プロジェクトまたはベンダ情報を、自分が完成させた他のプロジェクトからの類似の情報と比較する一連のレポートを作成し、かつ／または、新しいプロジェクトについての見積もりを作成することができる。ライセンシング条件および調査料金について同意がなされているとき、ユーザは、最終的なライセンシング条件を確認する契約を生成する選択肢を有し、契約に一意的な識別コードを割り当てる。
【００２２】
米国特許第６，４９９，１０６号（以下、「’ １０６特許」ともいう。）は、参照により本明細書に組み込まれる。‘１０６特許は、コンパクト・ディスク（「ＣＤ」）など、高密度固定メディア上に記録されたデータを安全に配信するための方法およびシステムを開示している。中央アクセス制御システムは、機密情報を１つまたは複数のＣＤのマスター・セットからコピーし、この情報を配信先ＣＤ上に、埋め込みデータ暗号化プロセスを使用して記録する。暗号化されたデータに加えて、一意的なディスク識別情報も、配信先ＣＤの各セットの各ディスク上に記録される。配信ディスク・セットは一意的なディスク識別情報を除いて互いに同等であり、またマスター・セットとも同等だが、この一意的ディスク識別情報は好適な実施形態では、ＣＤ−Ｒメディアの第１のセクターの制御バイトのＲ−Ｗサブチャネルにおいて記録される。
【００２３】
中央アクセス制御システムは、データベースに、配信ＣＤの各セットの各ディスクのディスク識別情報、および、遠隔位置アクセス権リスト（ＡＲＬ）を記録する。加えて、一意の遠隔位置識別番号のリストが中央アクセス制御データベースに格納される。各ＣＤのディスク識別情報は、所期の受信側の遠隔位置と相関させられる。したがって、中央アクセス制御システムは、どの遠隔位置がどの配信ＣＤにアクセスする許可を与えられるべきかを決定することができる。
【００２４】
配信ＣＤセットは物理的に、記録された情報へのアクセスを必要とする各遠隔地点（リモート位置）に送達される。各リモート位置は、その一意的遠隔位置識別番号、埋め込み解読システムを有するＣＤリーダ、および、中央アクセス制御システムへの双方向通信リンクを含む情報アクセス・システムを装備する。ユーザが情報にアクセスすることを望むとき、情報アクセス・システムに、自分の一意的なユーザ識別およびパスワードのペアを使用してログ・インする。次いで、情報アクセス・システムはディスク識別情報を読み取り、その一意的な遠隔位置識別番号およびディスク識別情報を、中央アクセス制御システムへのアクセス・リクエストとして、双方向通信リンクを介して送信する。アクセス制御システムがこのリクエストを中央アクセス制御データベースに基づいて検証し、このリクエストをＡＲＬに基づいて許可することができる場合、中央アクセス制御システムはリクエスト側情報アクセス・システムに、情報アクセス・システムに現在含まれている特定の配信ＣＤにアクセスするための一意的な暗号解読鍵を送信する。
【００２５】
図４では、ディスク識別情報９４０の一実施形態のレイアウトを示すブロック図が提供される。中央アクセス制御システムは、どの複製されたＣＤディスクが、支店のどの情報アクセス・システムまで進むかの足跡を追跡することができる。この追跡およびトレースは、ＣＤメディア上に直接記録されたディスク識別情報９４０を通じて達成される。中央アクセス制御システム内のプログラムは、書き込み可能ディスクの第１セクタの制御バイトのＲ−Ｗサブチャネルに書き込むように構成される。このセクタ内に９８の制御バイトがあり、Ｒ−Ｗは各バイトのビット０からビット５を占有する。最初の２バイト９４２の後に続いて、２４バイトの４つのグループ９４４、９４８、９５２、９５６内に含まれたユーザ・データに対して使用可能な６４個の６ビット・ワードがある。最初の２４バイトのグループ９４４内に、中央アクセス制御システム１００により指定されたボリューム番号９４６について使用される１６個の６ビット・ワードがあり、次の２４バイトのグループ９４８内に、ディスクＩＤ番号９５０について使用される１６個の６ビット・ワードがあり、残りの２つの２４バイトのグループ９５２、９５６（合計４８バイト）内に、通し番号９５４、９５８について使用される３２個の６ビット・ワードがある。
【００２６】
ＳＣＳＩ−３「ＷＲＩＴＥ  ＰＡＲＡＭＥＴＥＲ」コマンドを使用して、ボリューム番号９４６、ディスクＩＤ番号９５０および通し番号９５４、９５８がユーザ・データ・エリアに記録される。好ましい実施形態では、ディスク識別情報９４０を表すために使用される文字および番号がトランスコード文字セットから取られる。トランスコード文字セットは、大文字における必要なアルファベット（いくつかの言語のもの）、数字、およびいくつかの制御文字を含む。トランスコード文字セットの使用により、ＣＤメディアとの間で読み取りおよび書き込みを行う際に、６ビット・ワードのシフト・パックおよびシフト・アンパックを実行する必要がなくなる。上述のように、ディスク識別情報９４０は情報アクセス・システム１３０、１４０、１５０によって、中央アクセス制御システム１００からの暗号解読鍵をリクエストするために使用される。
【００２７】
米国特許第６，４３４，５３５号（以下、「’ ５３５特許」ともいう。）は、参照により本明細書に組み込まれる。‘５３５特許は、ネットワーク・インフラストラクチャを介した電子コンテンツの配信、および、プリペイド・メディアを使用したこのようなデータのベンダの補償のためのシステムおよび方法を開示しており、これは、電子コンテンツを受信することを望むユーザによるオペレーションのためのクライアント・デバイス、および、電子コンテンツを含んで、ネットワーク・インフラストラクチャを介してクライアント・デバイスにダウンロードするために電子コンテンツを提供するサーバを含む。クライアント・デバイスは、電子コンテンツが格納される先のメディアの特定部分に関連する一意の（ユニークな）識別子をサーバに対して送信する。サーバはメディア追跡サーバに接触して、メディアが有効であるかどうか、およびプリペイド・メディアの残りの残高を決定する。電子コンテンツがダウンロードされるコストが残りの残高から差し引かれ、ベンダの口座に入金される。次いで、サーバは電子コンテンツを、当該一意の識別子を鍵として使用しつつ暗号化し、該暗号化された電子コンテンツをクライアント・コンピュータにダウンロードし、そこでクライアント・コンピュータは、暗号化された電子コンテンツをメディアの特定部分に書き込むことで、該暗号化された電子コンテンツにメディアの特定部分からのみアクセスできるようにする。電子コンテンツは、当該ユニークな（一意的な）識別子を有するメディアのただ一部からのみアクセス可能であり、異なる識別子を有するか、あるいは識別子を有していない他のいかなるメディアからもアクセス可能ではない。
【００２８】
図５は、顧客がプリペイド・メディアを使用して電子コンテンツを選択およびダウンロードする手順を例示する。ユーザがステップ９６０で、ソフトウェア、音楽またはビデオ（すなわち、保護された電子データ）を、自宅のパーソナル・コンピュータまたは独立の装置（スタンド・アロン・デバイス）を使用して購入することを望むとき、電子データ配信プロセスを開始する。
【００２９】
最初のコマンド・パケットを受信した後、ステップ９６６で、サーバがメディア追跡サーバに接触して、メディアの一意的な識別子が有効であること、および、コンテンツがダウンロードされるコストを補うために十分な残高があることを検証する。次いでステップ９６８で、メディア追跡サーバ１６ａが一意的な識別子を追跡データベース内で調べ、ステップ９７０で、残りの残高を決定する。ステップ９７２で、メディア追跡サーバが、残りの残高が電子コンテンツの購入価格より大きいかどうかを判断する。残りの残高が電子コンテンツの購入価格より大きい場合、ステップ９７４で、メディア追跡サーバがＥコマース・サーバに、ステップ９７３での肯定的確認をもって応答し、購入価格を、一意的識別子に関連付けられた残りの残高から借方記入し、Ｅコマース・エンティティの口座に購入価格額を入金する。
【００３０】
これらの従来技術のいずれもが、特定のリリースおよび／またはライセンスに関連付けられたリリースおよび／またはライセンスもしくはメタデータを一意的に識別するための、標準のリリースおよび／またはライセンス識別子のためのフォーマットを開示していない。
【００３１】
要望されるものは、リリースおよびライセンス関連メタデータの交換における効率を高めるための、データおよび／または著作権取得されたデータのリリース、ならびに、リリースに含まれるデータおよび／または著作権取得されたデータのライセンシングに関連する、標準識別子の使用である。
【発明の開示】
【発明が解決しようとする課題】
【００３２】
本発明の１つの特徴および利点は、好適には、リリースおよび／またはライセンスの識別を可能にするフォーマットをもった標準および／または実質的に標準のリリースおよび／またはライセンス識別子を有することである。
【００３３】
本発明のもう１つのオプショナルの特徴および利点は、好適には、配信される際のリリースおよび／またはライセンス識別子の完全性を保護するためのチェック文字を含む標準および／または実質的に標準のリリースおよび／またはライセンス識別子を有することである。
【００３４】
本発明のもう１つのオプショナルの特徴および利点は、好適には、リリースおよび／またはライセンスに関連付けられた使用、トランザクションおよび／または収益の効率的かつ適時な追跡および／または処理を可能にするための、正確かつ適時なリリースおよび／またはライセンスの識別を容易にする標準および／または実質的に標準のリリースおよび／またはライセンス識別子を有することである。
【００３５】
本発明のもう１つのオプショナルの特徴および利点は、好適には、リリースおよび／またはライセンスに関係がある識別および／または記述情報の検索を可能にする標準および／または実質的に標準のリリースおよび／またはライセンス識別子を有することである。
【００３６】
本発明のもう１つのオプショナルの特徴および利点は、好適には、リリースおよび／または関連付けられたライセンスの物理的および電子的配信に適用することができる標準および／または実質的に標準のリリースおよび／またはライセンス識別子を有することである。
【００３７】
本発明のもう１つのオプショナルの特徴および利点は、好適には、リリースおよび／またはライセンス供与されたコンテンツを論理的に識別するためのメカニズムを提供する標準および／または実質的に標準のリリースおよび／またはライセンス識別子を有することである。
【課題を解決するための手段】
【００３８】
本発明のこれらおよび他の特徴および利点は、データ配列、データ集合および／またはデータ・セットを含むデータの識別、検証、認証および／または使用に関係するリリース識別子情報を含むデータ構造を格納するメモリにおいて達成される。該データ構造はまた、当該データに関連付けられた少なくとも１つの知的所有権も含む。該データ構造は、データ・プロセッサおよび／またはコンピュータによって実施された命令に応答してメモリから検索される。該データ構造は、発行者コードを含む第１のデータ要素、知的所有権バンドル（束）番号を含む第２のデータ要素、および、チェック文字を含む第３のデータ要素をさらに含む。該第１、第２および第３のデータ要素は、当該データの識別、検証、認証（認可）および／または使用において用いられる。
【００３９】
本発明のもう１つの実施形態では、メモリは、データ配列、データ集合および／またはデータ・セットを含むデータの識別、検証、認証（認可）および／または使用に関係するライセンス識別子情報を含むデータ構造を格納する。該データ構造はまた、当該データに関連付けられた少なくとも１つの知的所有権も含む。該データ構造は、データ・プロセッサおよび／またはコンピュータによって実施された命令に応答してメモリから検索される。該データ構造は、発行者コードを含む第１のデータ要素、ライセンス参照を含む第２のデータ要素、および、チェック文字を含む第３のデータ要素をさらに含む。該第１、第２および第３のデータ要素は、データの識別、検証、認証（認可）および／または使用において用いられる。
【００４０】
本発明のまた別の代替的実施形態において、メモリは、データ配列、データ集合および／またはデータ・セットを含むデータの識別、検証、認証（認可）および／または使用に関係するリリース識別子情報を含むデータ構造を格納する。該データ構造はまた、当該データに関連付けられた少なくとも１つの知的所有権も含む。該データ構造は、データ・プロセッサおよび／またはコンピュータによって実施されている命令に応答して、メモリから検索される。該データ構造は、２個の有効文字を備える識別子スキームを含む第１のデータ要素をさらに含む。該データ構造はまた、５個の有効文字を備える発行者コードを含む第２のデータ要素も含む。該第１のデータ要素は好ましくは該第２のデータ要素に先行する。該データ構造は、一実施形態では７個の有効文字を備える知的所有権バンドル（束）番号を含む第３のデータ要素をさらに含む。該第２のデータ要素は好ましくは該第３のデータ要素に先行する。該データ構造はまた、例えば３個の有効文字を備える配信属性拡張子を含む第４のデータ要素をオプショナルで含んでも良い。該第３のデータ要素は好ましくは該第４のデータ要素に先行する。また別の実施形態では、知的所有権バンドル（束）番号は配信属性拡張子を含み、したがって、長さにして有効文字１０個分である。有効文字は、ローマ字アルファベットのうち「Ｉ」および「Ｏ」を除くいずれかの大文字、および、いずれかのアラビア数字のうち１つであり、好ましくはＡＳＣＩＩコードを使用して定義される。該データ構造は、１文字を有するチェック文字を含む第５のデータ要素をさらに含む。この１文字は好ましくは、ローマ字アルファベットのいずれかの大文字、または、いずれかのアラビア数字であり、好ましくはＡＳＣＩＩコードを使用して定義される。該第４のデータ要素は好ましくは該第５のデータ要素に先行する。
【００４１】
本発明の更に別の実施形態においては、メモリは、データ配列、データ集合および／またはデータ・セットを含む、データの識別、検証、認証（認可）および／または使用に関係するライセンス識別子情報を含むデータ構造を格納する。該データ構造は、当該データに関連付けられた少なくとも１つの知的所有権を含む。該データ構造は、データ・プロセッサおよび／またはコンピュータによって実施された命令に応答して、メモリから検索される。該データ構造は、２個の有効文字を備える識別子スキームを含む第１のデータ要素をさらに含む。該データ構造はまた、５個の有効文字を備える発行者コードを含む第２のデータ要素も含む。該第１のデータ要素は好ましくは該第２のデータ要素に先行する。該データ構造は、一実施形態では７個の有効文字を備えるライセンス参照を含む第３のデータ要素をさらに含む。該第２のデータ要素は好ましくは該第３のデータ要素に先行する。該データ構造はまた、例えば３個の有効文字を備える協会補助拡張子を含む第４のデータ要素をオプショナルで含んでもよい。該第３のデータ要素は好ましくは該第４のデータ要素に先行する。もう１つの実施形態では、該ライセンス参照は協会補助拡張子を含み、したがって、長さにして文字１０字分である。該データ構造は、１文字を有するチェック文字を含む第５のデータ要素をさらに含む。この文字は好ましくは、ローマ字アルファベットのいずれかの大文字、または、いずれかのアラビア数字であり、好ましくはＡＳＣＩＩコードを使用して定義される。該第４のデータ要素は好ましくは該第５のデータ要素に先行する。
【００４２】
本発明のもう１つの実施形態においては、少なくとも１つのリリースの識別および記述を管理するための方法が提供される。この方法は、少なくとも１つのリリースのコンテンツを決定すること、および、特定のリリースに関連付けられた少なくとも１つのリリース識別子を得ることを含む。この方法はまた、少なくとも１つのリリースのコンテンツに関連付けられた音楽作品詳細を得ること、および、少なくとも１つのレーベル・コピーをコンパイルすることも含み、当該少なくとも１つのレーベル・コピーは、少なくとも１つのリリースのコンテンツ、少なくとも１つのリリース識別子および該音楽作品詳細を含む。
【００４３】
本発明のもう１つの実施形態においては、少なくとも１つのリリースに関連付けられた少なくとも１つのライセンスの識別および記述を管理するための方法は、少なくとも１つのライセンシング主体に少なくとも１つのリリースを通知すること、および、少なくとも１つのライセンス条件を決定することを含む。当該ライセンス条件は好ましくは、少なくとも１つのライセンシング主体と、当該少なくとも１つのリリースを発行する少なくとも１つの発行主体との間で交渉される。この方法はまた、少なくとも１つのライセンスのうち一意のものに関連付けられた少なくとも１つのライセンス識別子を得ることも含む。
【００４４】
本発明のもう１つの実施形態においては、リリース識別子を管理するための方法は、少なくとも１つの発行者コードを発行することを含み、該発行者コードは中央登録サービスによって発行され、特定の発行主体に割り当てられる。この方法はまた、少なくとも１つの発行者コードを含むリリース識別子を有する少なくとも１つのリリースを発行することも含む。当該少なくとも１つのリリースは、発行者コードを割り当てられた特定の発行主体によって発行される。
【００４５】
本発明のもう１つの代替的実施形態においては、ライセンス識別子を管理するための方法は、少なくとも１つの発行者コードを発行することを含み、該発行者コードは中央登録サービスによって発行され、特定のライセンシング・エンティティ（主体）に割り当てられる。この方法はまた、少なくとも１つの発行者コードを含むライセンス識別子を有する少なくとも１つのライセンスを発行することも含む。当該少なくとも１つのライセンスは、発行者コードを割り当てられたライセンシング・エンティティ（主体）によって発行される。
【００４６】
本発明のもう１つの実施形態においては、少なくとも１つのリリースに関する情報を交換するための方法は、第１の主体（エンティティ）によって、少なくとも１つのリリースに関連付けられたリリース識別子およびメタデータを、当該第１の主体（エンティティ）に関連付けられた第１のメーカ（所有者）独自のフォーマットから標準フォーマットへ変換することを含む。該標準フォーマットは、標準メタデータ・スキーマを含む。この方法はまた、当該第１の主体（エンティティ）によって、少なくとも１つのリリースに関連付けられた該リリース識別子およびメタデータを、該標準メタデータ・スキーマ内の適切なフィールドにマッピングすることも含む。この方法は、リリース識別子およびメタデータを当該第１の主体（エンティティ）から第２の主体（エンティティ）に送信すること、および、当該第２の主体（エンティティ）によって、該少なくとも１つのリリースに関連付けられた該リリース識別子および該メタデータを、該標準フォーマットから該第２の主体（エンティティ）に関連付けられた第２のメーカ（所有者）独自のフォーマットへ変換することをさらに含む。該リリース識別子および該メタデータは、少なくとも１つのリリースを識別および記述する。
【００４７】
本発明のもう１つの代替的実施形態においては、少なくとも１つのライセンスに関する情報を交換するための方法は、第１の主体（エンティティ）によって、該少なくとも１つのライセンスに関連付けられたライセンス識別子およびメタデータを、該第１の主体（エンティティ）に関連付けられた第１のメーカ（所有者）独自のフォーマットから標準フォーマットへと変換することを含む。該標準フォーマットは、標準メタデータ・スキーマを含む。この方法はまた、該第１の主体（エンティティ）によって、該少なくとも１つのライセンスに関連付けられた該ライセンス識別子および該メタデータを、該標準メタデータ・スキーマ内の適切なフィールドにマッピングすることも含む。この方法は、該ライセンス識別子および該メタデータを該第１の主体（エンティティ）から第２の主体（エンティティ）に送信すること、および、該第２の主体（エンティティ）によって、該少なくとも１つのライセンスに関連付けられた該ライセンス識別子および該メタデータを、該標準フォーマットから該第２の主体（エンティティ）に関連付けられた第２のメーカ（所有者）独自のフォーマットへと変換することをさらに含む。該ライセンス識別子および該メタデータは、少なくとも１つのライセンスを識別および記述する。
【００４８】
このようにむしろ広い意味で、本発明のより重要な特徴およびいくつかの、すべてではない実施形態を概説したが、これは、以下のその詳細な説明をよりよく理解できるようにするため、かつ、本発明の属する技術分野への本発明の寄与をよりよく理解できるようにするためである。言うまでもなく本発明には追加的特徴部分があるが、この特徴的部分は以下で説明され、これは本明細書に添付された特許請求の範囲の主題を形成する。
【００４９】
この点で、本発明の少なくとも１つの実施形態を詳細に説明する前に、本発明がその適用において、以下の明細書中で説明され、あるいは図面に図示される構成の詳細及び構成要素の配列組合せに限定されないことが理解されるべきである。本発明は、他の実施形態が可能であり、様々な方法で実施および実行することができる。また、本明細書で使用する言葉遣いおよび専門用語は説明のためのものであり、限定要素として見なされるべきでないことが理解されるべきである。
【００５０】
したがって、本開示が基づく概念を容易に、本発明のいくつかの目的を実行するための他の構造、方法およびシステムの設計のための基礎として利用できることは、当業者には理解されよう。したがって、特許請求の範囲が、これらが本発明の精神および範囲から逸脱しない限り、このような等価な構成を含むものとして見なされることが重要である。
【００５１】
さらに、要約の目的は、米国特許商標局、および、概して一般公衆、特に、当該技術分野において特許または法的用語或いは言葉遣いに精通していない科学者、エンジニアおよび実務者が、さっと検討しただけで本願の技術的開示の性質および本質を迅速に決定できるようにすることである。要約は、特許請求の範囲によって判断される本願に係る発明を定義するように意図されておらず、また、いかなる方法においても本発明の技術的範囲についての限定となるように意図されない。
【００５２】
これらは、本発明の他の目的と共に、本発明を特徴付ける様々な新規性ある特徴と共に、添付の特許請求の範囲において詳細に示され、本開示の一部を形成する。本発明、その動作上の利点、およびその使用によって達成される特定の目的をよりよく理解するため、添付の図面、および、本発明の好適な実施形態において例示されている記述内容が参照されるべきである。
【発明を実施するための最良の形態】
【００５３】
ここで、本発明の現在の好適な実施形態をより詳細に参照する。このような実施形態は、本発明の説明の目的において提供され、本発明がかかる実施形態に限定されるように意図されてはならない。実際に、当業者は本明細書を読み、本願に添付された図面を見れば、様々な修正および変形態様を生み出し得ることが理解されよう。
【００５４】
例えば、本願の一実施形態の一部として例示されまたは説明された特徴を他の実施形態において使用して、さらなる実施形態を生じることができる。加えて、ある特徴を、同じまたは類似の機能を実行するまだ述べていない類似の装置または特徴で相互に置き換えることができる。したがって、このような修正および変形態様は本発明の全体公正の中に含まれていると意図される。
【００５５】
本発明の一実施形態によれば、異なる音楽著作権協会（「協会」）およびレコード会社は、音楽作品および（音楽）録音（物）を正確に識別する能力に依存して、それぞれ音楽作品にライセンス供与し、録音（体）およびこれらの録音（体）を含む製品をリリースする。関係者は、音楽が「使用」されるときはいつでも、音楽作品および録音（体）を一意に識別する作業に関連する業務過程からの相当な量のコストを負う。多数の音楽産業組織のデータベース内で、録音情報が音楽作品情報にリンクされることで、例えば、識別が可能になる。しかし、正確な識別はしばしば、標準の識別システムの欠如および矛盾した記述メタデータのために達成されないということがわかっている。また、本発明の一実施形態によれば、リリース識別子をライセンス識別子にリンクさせると共に、国際標準レコーディング・コード（ＩＳＲＣ）を国際標準音楽著作物コード（ＩＳＷＣ）にリンクさせて、音楽作品と音楽作品が現れる録音（体）の間の関係を確立することによって、録音および音楽作品を正確に識別するための能力が大幅に改善されるということもわかっている。
【００５６】
図６は、複数の情報主体の間の関連付けを作成するための複数の識別システム間の関係のための機能的相互作用またはモデルを例示する。リリース識別および記述実行部１０は、例えば、リリース識別子１２および複数のＩＳＲＣ１４、１６および１８を含む。リリース識別子１２は例えば、リリースのタイトル、アーティストなどを識別する。ＩＳＲＣ１４、１６および１８は例えば、当該リリースに含まれた様々な録音（物）についてのタイトル、アーティスト、レコード会社などを識別する。代替データおよび／または著作権取得されたデータもリリース識別子１２によって識別することができる。
【００５７】
ライセンス識別および記述実行部２０は、例えば、ライセンス識別子２２および複数のＩＳＷＣ２４、２６および２８を含む。ライセンス識別子２２は例えば、音楽作品などといったデータおよび／または著作権取得されたデータのライセンシー、ライセンサーなどを識別する。ＩＳＷＣは例えば、様々な他の音楽作品についてのタイトル、作曲家、作者などを識別する。情報主体関連付け部３０は、録音および音楽作品についてのリリースおよび関連ライセンシング情報の結合情報を含む。例えば、リリース識別子１２およびライセンス識別子２２が結合して、リリース識別子１２およびライセンス識別子２２によってそれぞれ識別されたリリースおよび音楽作品の間の完結的な関係を識別する。
【００５８】
情報主体間の関連付け、および、リリースおよびライセンス情報への適切なアクセスの提供を達成する１つの手段は、音楽作品などといったライセンスおよびデータに関する情報を、リリース・ファイル・フォーマットの暗号化されていない情報フィールド内で関連付けることである。ある情報は好ましくは、暗号化されていない情報フィールドにおいて搬送されることで、例えば、ライセンス検証、著作権侵害防止、識別のためのドキュメンテーション（文書化）および使用監視が可能となる。
【００５９】
データが音楽作品を含む本発明の一実施形態によれば、図７はレコード会社によるリリースおよび録音の識別および記述の管理、ならびに、協会による音楽作品およびライセンスの識別および記述の管理を例示するフローチャートであり、全体として参照番号１００によって示す。この実施形態では、いくつかの主体（エンティティ）が管理プロセス１００に関係し、これには例えば、アーティスト４０、レコード・レーベル５０、音楽出版社６０、協会７０、第三者データ提供者（サード・パーティ・データ・サプライヤ）８０および流通業者／小売業者９０が含まれる。
【００６０】
管理プロセス１００は、ステップ１１０において、アーティスト４０が音楽作品、例えば歌を、例えばスタジオ内で録音するときに開始される。次いでステップ１１２において、アーティスト４０がレコード・レーベル５０と、例えばこの歌を市場に出して流通させるために、契約する。ステップ１１４で、アーティスト４０またはある他の主体（エンティティ）が、録音詳細情報をレコード・レーベル５０に提供する。ステップ１１６で、標準ＩＳＲＣもまたオプショナルでこの録音に割り当てられる。次いでステップ１１８で、レコード・レーベル５０が録音詳細情報を、割り当てられた場合はＩＳＲＣと共に、格納する。
【００６１】
ステップ１２０で、アーティスト４０およびレコード・レーベル５０を含む関係者が続いて、提案されたリリースのコンテンツに同意する。次いでステップ１２２で、リリース識別子が当該リリースに割り当てられる。オプショナルで、欧州および他の地域のための標準欧州統一商品番号（「ＥＡＮ」）および／または、米国およびカナダのための標準統一商品コード（「ＵＰＣ」）を、当該リリースに割り当てることができる。ステップ１２４で、音楽作品に関する記述詳細もまた、音楽出版社６０および／または第三者データ提供者（提供機関）８０から得られる。ステップ１２６で、リリースおよびその関連音楽作品についての識別および記述情報を使用して、レコード・レーベル５０がレーベル・コピーをコンパイル（集大成）する。レーベル・コピーは文字通り「コピー」、または、リリースの物理的実施形態であるレーベル上で使用される言葉であり、例えば、Ｃラインまたは著作権表示、Ｐ表示或いは興行権表示などである。該レーベル・コピーはまた、レコード・レーベル５０によって、例えば、そのリリースがシングルであるかアルバムであるかなど、製品を記述するためにも使用される。該レーベル・コピーはまた、ライセンシング主体（エンティティ）によって例えば、興行権協会などの該リリースに関する情報のメイン・ソースとしても使用される。さらに、レパートリおよび製品データベース・プロバイダもまたしばしば、必要な情報をレーベル・コピーから、それらの各操作のために検索する。
【００６２】
レーベル・コピーがコンパイルされた後、次いで、レコード・レーベル１２６がステップ１２８でレーベル・コピーを完成させ、次いでステップ１３０で、リリースを流通業者／小売業者９０に発行することができる。流通業者／小売業者９０は使用レポートをレコード・レーベル５０に供給する。他のエンティティ（主体）はオプショナルで、使用レポートをレコード・レーベル５０に供給することを担う可能性がある。ステップ１３６で、レコード・レーベル５０またはある他のエンティティ（主体）は、逆に、該使用レポートを協会７０および／または音楽出版社６０に供給する。
【００６３】
ステップ１３４で、レコード・レーベル５０が協会７０および／または音楽出版社６０に当該リリースを通知し、これによってライセンシング・プロセスが開始される。ステップ１３８で、協会７０および／または音楽出版社６０がレコード・レーベル５０に、該リリースの通知が受信されているという確認を送信する。次いでステップ１４０で、レコード・レーベル５０が、該リリース内に含まれている総ての音楽作品に関するライセンスの条件について、協会７０および／または音楽出版社６０と交渉する。代替的実施形態においては、レコード・レーベル５０がライセンスについてある他の主体と交渉してもよく、この場合には、当該他の主体が次いで、協会７０および／または音楽出版社６０と交渉する。他の主体間情報処理が、上述のもの以外で発生する可能性がある。加えて、各協会７０は、図７に表されたものとは異なる独自のプロセスを備える可能性があり、録音（体）、および、これと音楽作品との関係についての情報を、同じ詳細のレベルまで管理しない可能性もある。
【００６４】
図８は、標準化されたメタデータを使用した、リリースおよび／またはライセンスに関する情報を交換する方法を例示するフローチャートである。例えば、レコード会社Ａ１５０は、リリースについての識別子および記述情報を発行することを望む。該メタデータおよび識別子は最初に、レコード会社Ａ１５０のメーカ独自のメタデータおよび情報システム１５２内に保持される。該メタデータおよび識別子は、リリースのための、標準のメタデータ・スキーマ（付録Ａを参照）内の適切なフィールド１５４にマップされる。いかなるコード化された値も、メーカ独自のバージョンから標準化バージョンに変換される。該標準化された識別子およびメタデータは好ましくは拡張可能マークアップ言語（「ＸＭＬ」）タイプのメッセージにおいて表現され、例えばレコード会社Ｂ１５６および／または組織１６０といった外部組織へ送達される。
【００６５】
レコード会社Ｂ１５６は、メタデータおよび識別子の標準化フィールド１５４を、該会社独自のデータ記述およびコードにマップし、これらがその情報システム１５８内で認識される。次いで、変換プロセスが、リリース情報を処理する必要のある各組織１６０によって複製される。この方法はまた、複数の組織の間のライセンス情報の転送にも適用される。
【００６６】
Ｉ．リリースおよびライセンス識別子
Ａ．リリース識別子
図９は、リリース識別子のためのフォーマットを例示する。リリース識別子（「ＩＤ」）は好ましくはリリースを識別するために使用され、これは、単一または複数の知的所有権アセットを含むことができ、これには例えば、録音、テキスト、イメージ、ビデオおよびソフトウェアが含まれる。リリースＩＤ２００は、発行者コード２０４、知的所有権（「ＩＰ」）束（バンドル）番号２０６およびチェック文字２１０を含む。リリースＩＤ２００はまたオプショナルで、リリース識別子スキーム２０２および／または配信属性拡張子２０８も含む。
【００６７】
リリースＩＤ２００は好ましくはＡ−Ｂ−Ｃ−Ｄ−Ｅの形式に則り、これらの５つの各要素は好ましくはハイフン２１２「−」によって区切られる。いくつかの要素は好ましくは「有効文字」から形成される。「有効文字」は、ローマ字アルファベットのうち「Ｉ」および「Ｏ」を除く（アラビア数字の１および０との曖昧さを避けるため）いずれかの大文字、または、いずれかのアラビア数字である。したがって、３４個の有効文字がある。有効文字は好ましくはＩＳＯ６４６の国際基準版（ＩＲＶ）（参照により本明細書に組み込まれる）において定義されるようにコード化されるが、これは、ＡＳＣＩＩコードに等しいか、あるいはこれと合致する。図９もしくは１０に例示するようにリリースＩＤ２００は、典型的なリリースＩＤの構造の一実施例である。リリースＩＤ２００のサイズは好ましくは１８文字である。リリースＩＤ２００のための他のフォーマットおよびサイズは、代替的実施形態に適用される。
【００６８】
リリース識別子スキーム２０２は、他のコンテンツ・タイプのリリースを識別するために使用される可能性のある同じ構造を採用する他のいずれかの識別スキームから、例えばレコード産業のためのリリースＩＤなど、識別スキームを一意に識別する。リリース識別子スキーム２０２は好ましくは２個の有効文字を含む。この実施例では、リリース識別子スキームは「Ａ１」であるが、リリース識別子スキーム２０２を、例えば２個の有効文字、すなわち「Ａ２」から「Ａ０」までおよび「ＡＡ」から「ＺＺ」までのいかなる組合せにすることもできる。リリース識別子スキーム２０２のための他のフォーマットおよび／または数値もしくは文字構成を、オプショナルで使用することができる。
【００６９】
発行者コード２０４は、リリースＩＤ２００を発行することを担う主体（エンティティ）を一意的に識別する。発行者コード２０４は好ましくは５個の有効文字を含むが、他のフォーマットが可能である。ＩＰ束（バンドル）番号２０６が、発行者コード２０６を割り当てられている主体（エンティティ）によって一意に割り振られて、各リリースに関連する、ＩＰアセットの集合およびそれらに添付する記述メタデータが識別される。ＩＰ束（バンドル）番号２０６は好ましくは７個の有効文字を含むが、他のフォーマットが可能である。
【００７０】
配信属性拡張子２０８はオプショナルで、発行者コード２０４を割り当てられている主体（エンティティ）によって一意に割り振られて、ＩＰバンドル（束）が同じまま残るが異なるバージョンの取引に関するパラメータを区別する必要がある場合に、リリースの該異なるバージョン間で区別される。配信属性拡張子２０８によって指示されたパラメータは典型的には、ＩＰ束を有する知的所有権に実質的な影響を有しない。一実施形態では、ＩＰ束番号を発行する主体は、同じＩＰ束に関係する可能性のある、該異なる配信属性の間で区別することを望むか、望まないかを自由に選択することができる。したがって、配信属性拡張子２０８はオプショナルである。配信属性拡張子２０８は好ましくは３個の有効文字を含むが、他のフォーマットが可能である。
【００７１】
オプショナルのチェック文字２１０が各リリース識別子２００について計算されて、リリースＩＤ２００がコンピュータ・システム、データベース、或いは、リリース情報の管理および配信を可能ならしめる他のシステムに正確に入力されていることが保証される。チェック文字２１０は好ましくは「ＩＳＯ７０６４：１９８３（参照により本明細書に組み込まれる）」に従って計算され、これを以下でより詳細に説明する。チェック文字２１０は好ましくは１個の英数字文字を含む。ＩＳＯ７０６４：１９８３の下で計算されるようなチェック文字２１０は、いかなる文字（「Ｉ」または「Ｏ」を含む）につながってもよい。
【００７２】
リリースＩＤ２００は複数の代替フォーマットを有することができる。１つの代替的実施形態では、どの識別子スキームが使用されているかがすべての関係者に明らかであるときには、リリースＩＤ２００はＢ−Ｃ−Ｄ−Ｅの形式、すなわち、リリース識別子スキーム２０２なしの形式である。また別の代替的実施形態では、リリースＩＤ２００はＡＢＣＤＥの形式、すなわち、要素を区切るハイフン２１２なしであり、これは、すべての関係主体に、このコードがリリースＩＤであることが明らかであるときである。さらなる代替的実施形態では、リリースＩＤ２００はＢＣＤＥの形式、すなわち、リリース識別子スキーム２０２なし、かつ、ハイフン２１２なしであり、これは、すべての関係主体に、このコードがリリースＩＤであること、および、どの識別子スキームが使用されているかが明らかであるときである。
【００７３】
図１０は、リリース識別子のための代替的フォーマットを例示する。リリースＩＤ２２０は、発行者コード２２４、ＩＰ束（バンドル）番号２２６およびチェック文字２２８を含む。リリースＩＤ２００はまたオプショナルで、リリース識別子スキーム２２２も含む。この実施形態では、１０文字の長さであるＩＰ束番号２２６は、当該リリースに関連する知的所有権に関する情報に加えて、配信属性に関する情報を含む。したがって、配信属性拡張子を省略することができる。
【００７４】
図１１は、マルチ・アセットＩＰ束（バンドル）を含むリリースの一実施例のための構造を例示する。リリース２２０は一意的なリリースＩＤ２００によって、前述のように識別される。リリース２２０はＩＰまたはアセット・バンドル（束）２２２を有し、これは２つの録音体である録音アセット２２４および録音アセット２２６からなる。ＩＰ束２２２はまた、追加のＩＰ束２２８も含み、これは「サブバンドル」と呼ばれ、ＩＰ束の可能な階層構造を例示するためのものである。ＩＰ束２２８即ちサブバンドルは、録音アセット２３０およびそのテキスト・アセット２３２を含む。ＩＰバンドル（束）２２２はリリースＩＤ２００のＩＰバンドル番号、この実施例では「ＡＢＣ１２３４」によって一意に識別される。
【００７５】
Ｂ．ライセンス識別子
図１２は、ライセンス識別子のための好ましいフォーマットを例示する。ライセンス識別子（「ＩＤ」）は好ましくはライセンスを識別するために使用され、これは、例えば音楽作品を実施する電子音楽配信リリースおよび他の製品に関係する。一実施形態では、ライセンスＩＤ２５０は、発行者コード２５４、ライセンス参照（情報）２５６およびチェック文字２６０を含む。ライセンスＩＤ２５０はまたオプショナルで、ライセンス識別子スキーム２５２および／または協会補助拡張子２５８も含む。
【００７６】
ライセンスＩＤ２５０は好ましくはＡ−Ｂ−Ｃ−Ｄ−Ｅの形式であり、ここで当該５つの各要素は好ましくはハイフン２６２「−」によって区切られる。いくつかの要素は好ましくは、前述のように「有効文字」から形成される。図１２もしくは１３に例示するようにライセンスＩＤ２５０は、典型的なライセンスＩＤの構造の一実施例である。ライセンスＩＤ２５０のサイズは好ましくは１８文字である。ライセンスＩＤ２５０のための他のフォーマットおよびサイズは、代替的実施形態に適用される。
【００７７】
ライセンス識別子スキーム２５２は、他のコンテンツ・タイプを識別するために使用される可能性のある同じ構造を採用する他のいずれかの識別スキームから、例えば音楽作品に関して発行されたライセンスのためのライセンスＩＤなど、識別スキームを一意に識別する。ライセンス識別子スキーム２５２は好ましくは２個の有効文字を含む。この実施例では、該ライセンス識別子スキームは「Ｚ１」であるが、ライセンス識別子スキーム２５２を、例えば２個の有効文字、すなわち「Ｚ２」から「Ｚ０」までおよび「ＺＡ」から「ＺＺ」までのいかなる組合せにすることもできる。ライセンス識別子スキーム２５２のための他のフォーマットおよび／または数値もしくは文字構成を、オプショナルで使用することができる。
【００７８】
発行者コード２５４は、ライセンスＩＤ２５０を発行することを担う主体を一意に識別する。発行者コード２５４は好ましくは５個の有効文字を含むが、他のフォーマットが可能である。ライセンス参照（情報）２５６が、発行者コード２５６を割り当てられている主体によって一意に割り振られて、ライセンスおよびその添付のメタデータが識別される。ライセンス参照（情報）２５６は好ましくは７個の有効文字を含むが、他のフォーマットが可能である。
【００７９】
協会補助拡張子２５８はオプショナルで、発行者コード２５４を割り当てられている主体（エンティティ）によって一意に割り振られて、ライセンスの異なるバージョン間が区別される。協会補助拡張子２５８を、ライセンスを区別またはリンクするために必要とされたある範囲の応用例に対して使用することができる。例えば、ライセンスＩＤを発行する組織は協会補助拡張子２５８を、特定のライセンスを識別するための追加の手段（ライセンスＩＤのメタデータ以外）として使用して、特定のライセンシーに発行されたすべてのライセンスが同じ協会補助拡張子２５８を有するようになるが異なるライセンス参照（情報）２５６を有するようにしてもよい。別法として、協会補助拡張子２５８を使用することで、すべての契約条件が例えばライセンス期間を除いて等しい場合でも、ライセンスを区別することができる。ライセンス参照情報を発行する主体は、協会補助拡張子２５８を、ライセンス参照情報を区別またはリンクする手段として使用することを望むかどうかを自由に選択することができる。したがって、協会補助拡張子２５８はオプショナルである。協会補助拡張子２５８は好ましくは３個の有効文字を含むが、他のフォーマットが可能である。
【００８０】
オプショナルのチェック文字２６０が各ライセンス識別子２５０について計算されて、ライセンスＩＤ２５０がコンピュータ・システム、データベース、または、ライセンス情報の管理および配信（流通）を可能にする他のシステムに正確に入力されていることが保証される。チェック文字２６０は好ましくは「ＩＳＯ７０６４：１９８３（参照により本明細書に組み込まれる）」に従って計算され、これを以下でより詳細に説明する。チェック文字２１０は好ましくは１個の英数字文字を含む。ＩＳＯ７０６４：１９８３の下で計算されるようなチェック文字２１０は、いかなる文字（「Ｉ」または「Ｏ」を含む）につながってもよい。
【００８１】
ライセンスＩＤ２５０は複数の代替的フォーマットを有することができる。１つの代替的実施形態では、ライセンスＩＤ２５０はＢ−Ｃ−Ｄ−Ｅの形式、すなわち、ライセンス識別子スキーム２５２なしであり、これは、すべての関係主体に、どの識別子スキームが使用されているかが明らかであるときである。もう１つの代替的実施形態では、ライセンスＩＤ２５０はＡＢＣＤＥの形式、すなわち、要素を区切るハイフン２６２なしであり、これは、すべての関係主体に、このコードがライセンスＩＤであることが明らかであるときである。さらなる代替的実施形態では、ライセンスＩＤ２５０はＢＣＤＥの形式、すなわち、ライセンス識別子スキーム２５２なし、かつ、ハイフン２６２なしであり、これは、すべての関係主体に、このコードがライセンスＩＤであること、および、どの識別子スキームが使用されているかが明らかであるときである。
【００８２】
図１３は、リリース識別子のための代替的フォーマットを例示する。代替的実施形態では、ライセンスＩＤ２７０は、発行者コード２７４、ライセンス参照（情報）２７６およびチェック文字２７８を含む。ライセンスＩＤ２７０はまたオプショナルで、識別子スキーム２７２も含む。この実施形態では、協会補助拡張子は省略される。もう１つの代替的実施形態では、ライセンス参照（情報）２７６は、協会補助拡張子に関する情報を含むことができ、したがってこれを１０文字の長さにすることができる。
【００８３】
Ｃ．チェック文字計算
リリースＩＤチェック文字２１０およびライセンスＩＤチェック文字２６０は好ましくはＩＳＯ７０６４：１９８３（「ＩＳＯ７０６４」）に従って計算されるが、代替の計算方法も可能である。一実施形態では、ＩＳＯ７０６４が使用されるとき、ＩＳＯ７０６４は、例えば英数字文字の文字列（２６個のローマ字および１０個のアラビア数字を含み、したがって、リリースおよびライセンス識別子を構成するために使用された有効文字のスーパーセットである）を、例えば単一の英数字文字にマップする。
【００８４】
リリースＩＤまたはライセンスＩＤの文字は、オプショナルで文字毎に左から右へと処理される。好ましくは、ｎ＝１８が、リリースＩＤまたはライセンスＩＤ内のチェック文字を含む文字の数として定義される。リリースＩＤまたはライセンスＩＤの文字（チェック文字を含む）は、例えば、右から左へ付番され、以下のようにａ１がチェック文字、ａ２からａ１８までがリリースＩＤまたはライセンスＩＤの文字となり、これは一実施例として図９もしくは１０におけるリリースＩＤ２００を使用する。
【表１】
2005516279.tif 000002
【００８５】
ｊ＝ｎ．．．２についてのカウンタａｊが設定され、ａｎがリリースＩＤまたはライセンスＩＤの最初の文字についての値であり（表２参照）、ａｎ−１がリリースＩＤまたはライセンスＩＤの２番目の文字についての値などとなり、ａ２がチェック文字の前のリリースＩＤ内の最後の文字となる。ｊ＝１かつＰ１＝３６と設定すると、ＳｊおよびＰｊ＋１は以下のように計算される。
Ｓｊ＝Ｐｊ｜３７＋ａｎ−ｊ＋１
Ｐｊ＋１＝Ｓｊ｜｜３６＊２
【００８６】
ｊ＝１．．．ｎについて、｜｜３６は、Ｓｊを３６で除算した後の余りである。余りがゼロに等しい場合、｜｜３６＝３６である。｜３７は、Ｐｊを３７で除算した後の余りである（決して０に等しくならない）。ａｎ−ｊ＋１は、リリースＩＤまたはライセンスＩＤ文字列内の文字の値である。
表２はＩＳＯ７０６４の文字表である。
【表２】
2005516279.tif 000003
【００８７】
チェック文字ａ１は、Ｓ１８｜｜３６＝１のように計算される。次いで、表２が使用されて、計算されたチェック文字が選択される。リリースＩＤ２００（図９もしくは１０）を使用する一実施例は、以下の通りである（ｎ＝１８かつＰ１＝３６について）。
【表３】
2005516279.tif 000004
【００８８】
Ｓ１８は、Ｓ１８＝Ｐ１８｜３７＋ａ１として定義され、このときａ１はチェック文字である。したがって、条件がＳ１８｜｜３６＝１であるので、ａ１は、Ｐ１８｜３７＋ａ１−１が３６によって余りなしに除算可能であるように計算されるべきである。上の実施例では、Ｐ１８｜３７＝１５の場合、条件は、１５＋ａ１−１が３６によって除算可能であることである。したがって、以下の式を使用すると、上の実施例ではａ１が２２に等しいことがわかる。
（１５＋ａ１−１）／３６＝１
表２によれば、数２２は文字「Ｍ」を表す。よって、完成したリリースＩＤは、図９もしくは１０に示すように、Ａ１−２４２５Ｇ−ＡＢＣ１２３４−００２−Ｍである。他のオプショナルの方法を使用して、チェック文字を計算するか、あるいはリリース識別子および／またはライセンス識別子に割り当ててもよい。
【００８９】
Ｃ．リリースＩＤ及びライセンスＩＤの管理
オプショナルの中央登録サービスは、１または複数の中央登録機関を含むことができ、全国および地方のサポートを、リリースおよびライセンス・メタデータ・システムのユーザに提供することを担う。当該中央登録サービスは、リリースＩＤおよび／またはライセンスＩＤについての発行者コードを、該中央登録サービスによって決定された基準を満たす主体に対して割り当てる。該中央登録サービスはまた、発行者にならんと意図する主体の登録プロセスにも関与し、これには、リリースおよび／またはライセンスについて収集されたメタデータの管理および品質保証が含まれる。
【００９０】
図１４は、例えば、リリースＩＤ発行者コードをオプショナルの中央登録サービスによって割り当てるための好ましい方法を例示し、全体として参照番号３００によって示す。割り当て方法３００はまた、ライセンスＩＤ発行者コードを割り当てるために使用してもよい。中央登録サービス３１０は、例えば、リリースＩＤを、「Ａ１」識別子スキームを使用して管理する。中央登録サービス３１０は発行者コード「２４２５Ｇ」、「４６２１Ｂ」および「１６５８Ｄ」をレコード会社３２０、３２２および３２４にそれぞれ割り振る。次いで、レコード会社３２０、３２２および３２４はリリースＩＤを適切な発行者コードと共に、例えば流通業者および／または小売業者に発行されているリリースに割り振る。レコード会社３２０には発行者コード「２４２５Ｇ」が割り当てられており、これは２つのリリース３３０および３３２を発行し、これらはそれぞれリリースＩＤ「Ａ１−２４２５Ｇ−ＡＢＣ１２３４−００１−Ｌ」および「Ａ１−２４５Ｇ−ＨＩＪ２３２５−０２５−Ｐ」を有する。レコード会社３２２には発行者コード「４６２１Ｂ」が割り当てられており、これは２つのリリース３３４および３３６を発行し、これらはそれぞれリリースＩＤ「Ａ１−４６２１Ｂ−Ｄ４５３ＨＧＦ−０１０−Ｒ」および「Ａ１−４６２１Ｂ−Ｄ４５４ＨＧＨ−００９−Ｔ」を有する。最後に、レコード会社３２４には発行者コード「１６５８Ｄ」が割り当てられており、これは２つのリリース３３８および３４０を発行し、これらはそれぞれリリースＩＤ「Ａ１−１６５８Ｄ−９８６４３４５−０００−Ｂ」および「Ａ１−１６５８Ｄ−９８６４３４６−０００−Ｃ」を有する。
【００９１】
ＩＩ．リリースおよびライセンス・メタデータ
標準的メタデータ・スキーマ（付録Ａ）は好ましくは、レコード会社もしくは協会についてのトランザクションの原則単位、すなわち、リリースまたは録音および他のアセット、もしくは音楽作品のライセンスをそれぞれ記述するために使用される。代替的主体（エンティティ）もまた、本発明に係るリリースおよび／またはライセンス識別子を利用することができる。標準的メタデータ・スキーマはいくつかの利点を提供する。レコード産業および協会の双方に共通であるデータ項目のための標準データ定義およびそれらの表現の識別および作成によりフレームワークが創設されるが、かかるフレームワークに基づいて音楽産業のためのオープンな情報規格が確立される。該標準的メタデータ・スキーマは、メタデータの交換のための共通手段を提供する。
【００９２】
当該標準的メタデータ・スキーマは、リリースおよび／またはライセンス、ならびにトランザクションの他の単位を記述するについての項目および「許容値」を含む。該標準的メタデータ・スキーマはまた、ルールを宣言し、トランザクション・メッセージを構築するために使用される構造を定義する。図１５乃至１６、図１７乃至１９、図２２乃至２４および図２５乃至２７は、この標準的メタデータ・スキーマを使用して実施することができるトランザクション・メッセージの４つの実施例を例示する。他のフォーマットおよび／またはスキーマを使用して、トランザクションの原則単位を記述することができる。
【００９３】
図１５および図１６は、２つのレコード会社間の会社間販売レポート・トランザクションのためのトランザクション・メッセージにおけるフィールドの一実施例を例示する。メッセージ３５０は例えば、レコード会社Ａとレコード会社Ｂの間における第３四半期の販売およびロイヤリティ・レポートをサポートする。トランザクション・メッセージは、該トランザクション・メッセージの主題に関する情報を含む記述フィールドのグループを備える。ＭＥＳＳＡＧＥ＿ＩＤ３５１は例えば、メッセージ３５０の送信者に一意である識別子である。ＡＳＳＯＣ＿ＰＴＹ＿ＧＲＰ３５２は例えば、メッセージ送信者および所期の受信者に関する詳細を含む。イベント（ＥＶＥＮＴ）３５３は例えば、メッセージが発行されたデータを含む。ＭＥＳＳＡＧＥ＿ＤＥＳＣ３５４は例えば、該メッセージのタイプ、目的および／またはバージョン番号を識別する。ＭＥＳＳＡＧＥ＿ＭＥＴＲＩＣＳ３５５は例えば、メッセージのディメンジョンに関する詳細および場合によってはデジタル署名を含む。ＲＰＴ＿ＰＥＲＩＯＤ＿ＤＵＲＡＴＩＯＮ３５６、ＲＰＴ＿ＰＥＲＩＯＤ＿ＳＴＡＲＴ３５７、およびＲＰＴ＿ＰＥＲＩＯＤ＿ＥＮＤ３５８は例えば、該メッセージ内のトランザクションが適用される期間を規定する。
【００９４】
この実施例では、メッセージ３５０は該メッセージ内に含まれた２つのリリースについての販売数を含む。リリース３６０は、「Ｍ」によって示されるように、複数回発生するフィールドである可能性があり、このフィールドは、２つのリリースであるリリース−１およびリリース−２の各々についての情報を含む。各リリース３６０は、メッセージ３５０のトランザクション単位として定義され、メッセージ３５０内で一意であるトランザクションＩＤが割り振られる。この実施例では、リリース−１は物理的製品、例えばコンパクト・ディスク（「ＣＤ」）である。リリース−１は、上述のような一意のＲＥＬＥＡＳＥ＿ＩＤ３６１を有する。タイトル３６２はリリース−１のタイトルを示す。リリース−１は、ＡＳＳＯＣ＿ＰＴＹ＿ＧＲＰ３６３によって示されるようにレコード会社Ａによって配布され、ＡＳＳＯＣ＿ＰＴＹ＿ＧＲＰ３６３は、リリースするレコード会社、および、リリース−１内に含まれたライセンス録音のための権利を所有するレコード会社の詳細を含む。この実施例では、レコード会社Ｂは、リリース−１においてフィーチャーされた録音のフォノグラフィック権の１３％を所有する。リリース−１をまた代替識別子（例えば、ＥＡＮ／ＵＰＣ）により識別することもでき、これをＡＳＳＯＣ＿ＩＤ３６４に示す。ＲＯＹ＿ＲＡＴＥ３６５は、レコード会社Ｂによるロイヤリティを計算するために使用されるロイヤリティ・レートを示す。
【００９５】
ＵＳＡＧＥ＿ＱＴＹ３７０もまた複数回発生するフィールドである可能性があり、例えば、領域内の特定使用タイプについての使用数（調整を含む）を含む。該フィールドＵＳＡＧＥ＿ＱＴＹ３７０内で、多数のサブフィールドを使用して追加の情報を提供することができる。ＲＰＴ＿ＰＥＲＩＯＤ＿ＤＵＲＡＴＩＯＮ３７１、ＲＰＴ＿ＰＥＲＩＯＤ＿ＳＴＡＲＴ３７２、およびＲＰＴ＿ＰＥＲＩＯＤ＿ＥＮＤ３７３は例えば、特定のＵＳＡＧＥ＿ＱＴＹ３７０が適用される期間を定義する。使用（ＵＳＡＧＥ）３７４は、当該使用数量が適用される使用タイプを記述する。ＧＲＯＳＳ＿ＵＳＡＧＥ＿ＵＮＩＴＳ３７５およびＮＥＴ＿ＵＳＡＧＥ＿ＵＮＩＴＳ３７６は例えば、調整の前および後の使用単位の数量を示す。ＡＤＪＭＮＴ＿ＱＴＹ３７７は、該使用数量に対するいかなる調整の詳細をも含む。価格（ＰＲＩＣＥ）３７８は、該使用数量に関連付けられた価格を規定する。領域（ＴＥＲＲ）３７９は、例えば、米国或いは英国など、該使用数量に関連付けられた領域を規定する。ＲＯＹ＿ＡＭＯＵＮＴ３８０は、該使用（調整を含む）の結果生じるロイヤリティ額の詳細を含む。
【００９６】
アセット３９０は、トランザクションを受ける、リリース３６０内に含まれたアセット（例えば、録音）を示す。多数のアセットがリリース内にある可能性があるので、リリース（ＲＥＬＥＡＳＥ）３９０は複数回発生するフィールドである可能性がある。ＳＥＱ＿ＮＢＲ３９１は例えば、該リリース内のアセットの通し番号、すなわち、ＣＤ上のトラック番号を示す。ＡＳＳＯＣ＿ＩＤ３９２は例えば、アセット３９０を構成する録音のＩＳＲＣを含む。上述の各フィールドは多数のサブフィールドを含むことで、当該トランザクション・メッセージ内のより詳細な情報を許容することができる。リリース−２に関連付けられた情報はメッセージ３５０内で、リリース３６０下で類似のフィールドを使用して提示される。
【００９７】
図１７、１８および１９は、レコード会社と小売業者もしくは関連会社間の小売通知トランザクションのためのトランザクション・メッセージにおけるフィールドの一実施例を例示する。図１７では、メッセージ４００が例えば、２つのリリース、すなわち、複合マルチメディア製品および単純な単一トラック製品に関してレコード会社から小売業者に送信された詳細をサポートする。メッセージ４００は、メッセージ３５０に関して説明した記述フィールドに類似の記述フィールドのグループ、すなわち、ＭＥＳＳＡＧＥ＿ＩＤ４０１、ＡＳＳＯＣ＿ＰＴＹ＿ＧＲＰ４０２、イベント（ＥＶＥＮＴ）４０３、ＭＥＳＳＡＧＥ＿ＤＥＳＣ４０４、およびＭＥＳＳＡＧＥ＿ＭＥＴＲＩＣＳ４０５を含む。
【００９８】
この実施例では、メッセージ４００は、共にオンライン製品である２つのリリースであるリリース−１およびリリース−２の各々についての詳細を含む。リリース−１はダウンロード製品であり、いくつかのアセットを含み、リリース−２はストリーミング製品であり、単一のアセットを含む。リリース−１およびリリース−２は共にナビゲーション・ビュー機能を含む。
【００９９】
リリース４１０は、「Ｍ」で示されるように、複数回発生するフィールドである可能性があり、２つのリリースであるリリース−１およびリリース−２の各々についての情報を含む。前の実施例のように、各リリース４１０にトランザクションＩＤが割り振られる。各リリース４１０は、一意のＲＥＬＥＡＳＥ＿ＩＤ４１１およびタイトル（ＴＩＴＬＥ）４１２をも有する。ＡＳＳＯＣ＿ＰＴＹ＿ＧＲＰ４１３は、メイン・アーティスト、著名な貢献者、リリースするレコード会社、マーケティング・レーベルなどに関する詳細を含む。Ｃ＿ＬＩＮＥ  ＆  Ｐ＿ＬＩＮＥ４１５は、リリース４１０についての著作権および／または出版表示を含む。イベント（ＥＶＥＮＴ）４１６は、リリース日などといったリリース４１０に関連するイベントの詳細を含む。
【０１００】
ジャンル（ＧＥＮＲＥ）４１７は例えば、レコード会社によって決定された分類、すなわち、Ｒ＆Ｂ、ヒップホップ、ポップおよび／またはカントリー＆ウェスタンを含む。コンテンツ分類（ＣＯＮＴＥＮＴ  ＣＬＡＳＳＩＦＩＣＡＴＩＯＮ）４１８は例えば、リリース４１０においてフィーチャーされた素材におけるいかなる警告またはペアレンタル・ガイダンス情報をも含む。ＤＥＬ＿ＡＴＴＲＩＢ４１９は例えば、リリース４１０に関係する詳細な技術的仕様およびディメンジョンを含み、これは、たとえばリリース４１０をダウンロードされ得る先のオペレーティング・システムなどである。
【０１０１】
価格（ＰＲＩＣＥ）４２０は例えば、リリース４１０に関連する価格を定義する。異なる価格タイプに基づいた価値、例えば、米国ドルまたは英国ポンド、ならびに、異なる領域についての価格を指定することができる。前の実施例のように、使用（ＵＳＡＧＥ）４２１は、リリース４１０について許可された使用のタイプおよび範囲を定義する。ＲＥＬＴＤ＿ＩＴＥＭ４２２は例えば、関連リリース、録音および／またはエンティティ（例えば、オンライン・リリースにおける等価な物理的製品）の詳細を記述する。ＥＸＴ＿ＬＮＫ４２３は例えば、リリース４１０に関係付けられるコンテンツおよび／または情報にリンクするために使用される外部リンク（ＵＲＬなど）の詳細を含む。
【０１０２】
この実施例では、リリース−１は複数の異なるアセット、すなわち、オーディオ・アセット（例えば、録音）、イメージ・アセット（例えば、カバー・アートワークおよび写真）、テキスト・アセット（例えば、歌詞）、ソフトウェア・アセット（例えば、スクリーンセーバ）、およびビデオ・アセット（例えば、音楽ビデオ）を含む。各アセットについての情報は、複数回発生するフィールドたるアセット４３０およびそのサブフィールドに含まれる。アセット４３０は例えば、リリース４１０内に含まれたアセット・タイプを定義し、各々を詳細に記述する。当該アセット記述は、該リリースについてのＩＰバンドル（束）に関連付けられる。
【０１０３】
タイトル（ＴＩＴＬＥ）４３１は、例えば表示および検索バージョンにおけるアセット４３０のタイトルを含む。ＡＳＳＯＣ＿ＰＴＹ＿ＧＲＰ４３２は例えば、アセット４３０に関連するメイン・アーティストおよび著名な貢献者の詳細を含む。ＡＳＳＯＣ＿ＩＤ４３３は例えば、アセット４３０についての代替識別子（例えば、ＩＳＲＣ）を含む。Ｃ＿ＬＩＮＥ  ＆  Ｐ＿ＬＩＮＥ４３４は、Ｃ＿ＬＩＮＥ  ＆  Ｐ＿ＬＩＮＥ４１５がリリース４１０の全体についての表示を含むの対して、アセット４３０についての著作権および／または出版表示を含む。ＤＵＲ４３５は例えば、該当する場合には、再生時間など、アセット４３０の持続時間を示す。
【０１０４】
図１８についての説明を続けると、イベント（ＥＶＥＮＴ）４３６は例えば、作成日など、アセット（ＡＳＳＥＴ）４３０に関連するイベントの詳細を含む。ジャンル（ＧＥＮＲＥ）４３７は、アセット（ＡＳＳＥＴ）４３０についてのジャンル分類情報を示し、これは当該リリース全体についてのジャンル（ＧＥＮＲＥ）４１７とは異なる可能性がある。同様に、コンテンツ・クラス（ＣＯＮＴＥＮＴ  ＣＬＡＳＳ）４３８は例えば、当該リリース全体についてのコンテンツ分類（ＣＯＮＴＥＮＴ  ＣＬＡＳＳＩＦＩＣＡＴＩＯＮ）４１８とは別のリリースについてのいかなる追加の警告またはペアレンタル・ガイダンス情報をも含む。ＥＸＴ＿ＬＩＮＫ４３９は例えば、アセット（ＡＳＳＥＴ）４３０に関連したコンテンツおよび／または情報にリンクするために使用される外部リンクの詳細を含む。ＲＥＬＴＤ＿ＩＴＥＭ４４０は、当該アセットが最初にフィーチャーされた際に当該アセットが載っていたリリースなどの詳細といった、例えば、関連リリース、録音などを記述する。ＤＥＬ＿ＡＴＴＲＩＢ４４１は例えば、アセット４３０に関係する技術的仕様およびディメンジョンについての詳細を含む。
【０１０５】
各アセット４３０は更に、該アセット内に存在する作品に関する情報も含むことができる。作品４５０は、特定のアセット４３０において実施される作品を規定し、記述する。ＡＳＳＯＣ＿ＰＴＹ＿ＧＲＰ４５１は例えば、作品４５０の作曲者、作者、編曲者および／または出版社の詳細を含む。ＡＳＳＯＣ＿ＩＤ４５２は例えば、作品４５０についての識別子（例えば、音楽作品についてはＩＳＷＣ）を含む。アセットおよび作品情報を関連付けることによって、アセットにおける作品についてのライセンス情報をオプショナルで、リリースに関係付けることができる。
【０１０６】
リリース４００はまた、オプショナルのナビゲーション・ビュー機能ＮＡＶ＿ＶＩＥＷ４６０も有する。ＮＡＶ＿ＶＩＥＷ４６０は、リリース４００に含まれるアセット４３０についての編成および相互関係についての視覚的な記述を提供する。ＡＳＳＥＴ＿ＬＩＳＴ＿ＩＴＥＭ４６１は例えば、リリース４１０内のアセット４３０の位置を規定し、リリース４１０内のアセット順序を特定する。リリース４１０内には各アセット４３０に関連するＡＳＳＥＴ＿ＬＩＳＴ＿ＩＴＥＭ４６１が存在する可能性がある。ＤＵＲ４６２は、ＮＡＶ＿ＶＩＥＷ４６０内で特定されるアセット４３０についての持続期間のオーバーライドを可能にし、これは例えば、ユーザがトラック全体よりも一部分のみを再生することを望む場合である。
【０１０７】
ＡＳＳＥＴ＿ＲＥＦ４６３は例えば、メッセージ４００内のアセット４３０の記述への参照ポインタおよびその配信属性を含む。ＬＮＫＤ＿ＡＳＳＥＴ４６４は、アセット４３０を、リリース４１０においてフィーチャーされた他のアセット（例えば、ある特定の録音に関連付けられたイメージ）と関連付ける。ＡＳＳＥＴ＿ＲＥＦ４６５は例えば、メッセージ４００内のリンクされたアセット４３０の記述への参照ポインタおよびその配信属性を含む。
【０１０８】
ＮＡＶ＿ＶＩＥＷ４７０によって示されるように、さらに追加して選択的なナビゲーション・ビューが最初のナビゲーション・ビュー内に存在する可能性がある。ナビゲーション・ビューを階層的に編成して複雑なリリースを記述することができ、ここではアセットのサブグループが定義されている（例えば、ＣＤボックス・セット内）。図２０および２１は、リリースについてのナビゲーション・ビューの実施例を例示する。
【０１０９】
図２０で、ナビゲーション・ビュー・ダイアログ・ボックス４８０はタイトル・バー４８２を有し、これは、現在視聴されているナビゲーション・ビューについての表示タイトルを含む。使用可能なビュー・テーブル４８４は、現在のビュー（例えば、ＮＡＶ＿ＶＩＥＷ４６０）の子ビュー（例えば、ＮＡＶ＿ＶＩＥＷ４７０）として使用可能なアセットおよび／またはビューを示す。選択されたビューの記述バー４８６は、使用可能ビュー・テーブル４８４内で現在選択されているアセットおよび／またはビューについての詳細を表示する。現在表示されているビューが別のビューの子である場合、親ビュー・ボタン４８７によりユーザは親ナビゲーション・ビューにアクセスすることができる。現在のナビゲーション・ビューが親を有していない場合、親ビュー・ボタン４８７は使用不可となる。ビューを得るボタン４８８は、表示されているナビゲーション・ビューを、現在選択されているナビゲーション・ビューに変更する。アセットが表示されている場合、ボタンのテキストは好ましくは「アセットを得る」と書かれるようになり、このボタンは、現在選択されているアセットのダウンロードおよび再生を開始するようになる。
【０１１０】
図２１で、ナビゲーション・ビュー・ダイアログ・ボックス４９０はアセットのみを示す。ナビゲーション・ビュー・ダイアログ・ボックス４９０は、ナビゲーション・ビュー・ダイアログ・ボックス４８０と類似の方法で機能する。タイトル・バー４９２は、現在表示されているビューに関連する詳細を表示する。使用可能アセット・リスト４９４は、現在のビューを通じてアクセス可能であるアセットを表示する。選択済アセット記述バー４９６は、現在選択されているアセットの詳細を表示する。ナビゲーション・ビュー・ダイアログ・ボックス４９０はまた、親ビュー・ボタン４９７およびアセット取得ボタン４９８も有する。
【０１１１】
図２２、２３および２４は、例えばレコード会社と協会との間のリリース通知ライセンシング取引（トランザクション）のためのトランザクション・メッセージにおけるフィールドの一実施例を例示する。図２２を見るとわかるように、メッセージ５００は例えば、事前に取り決められたライセンス契約下の、レコード会社からライセンシング協会へのリリースの通知をサポートする。メッセージ５００は、事前定義されたライセンス契約に関する詳細、ならびに、２つのリリース、すなわち、マルチメディア製品および単純な単一トラック製品に関する詳細を含む。当該マルチメディア製品は例えば、各々が１つの音楽作品を実施する２つの録音、および２つのイメージを含む。メッセージ５００は、メッセージ３５０およびメッセージ４００に関して説明された記述フィールドに類似した記述フィールドのグループ、すなわち、ＭＥＳＳＡＧＥ＿ＩＤ５０１、ＡＳＳＯＣ＿ＰＴＹ＿ＧＲＰ５０２、イベント（ＥＶＥＮＴ）５０３、ＭＥＳＳＡＧＥ＿ＤＥＳＣ５０４、およびＭＥＳＳＡＧＥ＿ＭＥＴＲＩＣＳ５０５を含む。
【０１１２】
ライセンス５１０はオプショナルで、複数回発生するフィールドである可能性があり、リリースが行われている基盤となるライセンス条件を規定する。ライセンス５１０は、上述のように、一意のＬＩＣＥＮＳＥ＿ＩＤ５１１を有する。ＡＳＳＯＣ＿ＰＴＹ＿ＧＲＰ５１２は、例えば、ライセンシーたるレコード会社およびライセンサー協会といったライセンシーおよびライセンサーの詳細を含む。ＬＩＣ＿ＴＹＰＥ＿ＣＯＤＥ５１３は例えば、該ライセンスに関連したライセンシング・スキームの操作的性質を規定する分類を含む。イベント（ＥＶＥＮＴ）５２５は、たとえば元のライセンス契約日などといったライセンス５１０に関連するイベントの詳細を含む。ＲＧＴＳ＿ＣＯＤＥ５１５は例えば機械的権利、同期的権利および／または演奏の権利といった該ライセンスによって保護される権利を規定する。使用（ＵＳＡＧＥ）５１６は、ライセンス５１０下で許可された使用を記述する。
【０１１３】
ライセンス５１０の契約条項及び契約条件はリリース５２０を包含する。リリース５２０は、リリース４１０（図１７）に関して説明したように、サブフィールドに情報を含む。リリース５２０に関する情報には例えば、ＲＥＬＥＡＳＥ＿ＩＤ５２１、タイトル（ＴＩＴＬＥ）５２２、ＡＳＳＯＣ＿ＰＴＹ＿ＧＲＰ５２３、ＡＳＳＯＣ＿ＩＤ５２４、イベント（ＥＶＥＮＴ）５２５、ジャンル（ＧＥＮＲＥ）５２６、ＤＥＬ＿ＡＴＴＲＩＢ５２７、および使用（ＵＳＡＧＥ）５２８が含まれる。
【０１１４】
リリース５２０内に含まれるアセットは、図２２〜２４を見るとわかるように、アセット・フィールド５３０およびそのサブフィールドにおいて記述される。アセット４３０（図１７〜１９）に関して説明したように、アセット５３０に関する情報には例えば、タイトル（ＴＩＴＬＥ）５３１、ＡＳＳＯＣ＿ＰＴＹ＿ＧＲＰ５３２、ＡＳＳＯＣ＿ＩＤ５３３、Ｃ＿ＬＩＮＥ  ＆  Ｐ＿ＬＩＮＥ５３４、ＤＵＲ５３５、イベント（ＥＶＥＮＴ）５３６、ジャンル（ＧＥＮＲＥ）５３７およびＤＥＬ＿ＡＴＴＲＩＢ５３８が含まれる。
【０１１５】
各アセット５３０に含まれる作品、例えば、各録音において実施された音楽作品は、作品フィールド５４０において記述される。タイトル（ＴＩＴＬＥ）５４１は、当該作品の元のタイトルを示す。ＡＳＳＯＣ＿ＰＴＹ＿ＧＲＰ５４２は例えば、作品５４０の作曲者、作者、編曲者および出版社の詳細を含む。ＡＳＳＯＣ＿ＩＤは例えば、作品５４０についての識別子を含む（例えば、音楽作品についてはＩＳＷＣ）。
【０１１６】
ＮＡＶ＿ＶＩＥＷ５５０は、リリース５２０に含まれたアセット５３０の編成および相互関係を記述する。ＮＡＶ＿ＶＩＥＷ４６０（図１８）に関して説明したように、ナビゲーション・ビューイング機能に関する情報には例えば、ＡＳＳＥＴ＿ＬＩＳＴ＿ＩＴＥＭ５５１、ＤＵＲ５５２、ＡＳＳＥＴ＿ＲＥＦ５５３、ＬＮＫ＿ＡＳＳＥＴ５５４、およびＡＳＳＥＴ＿ＲＥＦ５５５が含まれる。ＮＡＶ＿ＶＩＥＷ５６０はまた、従属ナビゲーション・ビューであるＮＡＶ＿ＶＩＥＷ５６０も含むことができる。
【０１１７】
図２５、２６および２７は、協会からレコード会社へのリリース確認ライセンシング取引（トランザクション）のためのトランザクション・メッセージにおけるフィールドの一実施例を例示する。図２５を見るとわかるように、メッセージ６００は例えば、リリースについてのライセンシング情報の確認をサポートする。メッセージ６００は、協会によってレコード会社に送信され、この確認は、事前に取り決められたライセンス契約の条件下で行われる。メッセージ６００は例えば、事前定義されたライセンス契約、ならびに、２つのリリース、すなわち、各々が１つの音楽作品を実施する２つの録音および２つのイメージを含むマルチメディア製品、および、単純な単一トラック製品に関する、ライセンシング詳細を特定する。メッセージ６００は、メッセージ３５０、メッセージ４００およびメッセージ５００に関して説明される記述フィールドに類似した記述フィールドのグループ、すなわち、ＭＥＳＳＡＧＥ＿ＩＤ６０１、ＡＳＳＯＣ＿ＰＴＹ＿ＧＲＰ６０２、イベント（ＥＶＥＮＴ）６０３、ＭＥＳＳＡＧＥ＿ＤＥＳＣ６０４、およびＭＥＳＳＡＧＥ＿ＭＥＴＲＩＣＳ６０５を含む。
【０１１８】
ライセンス６１０は、複数回発生するフィールドである可能性があり、該リリースが行われる基盤となるライセンシング条件を特定する。ライセンス５１０（図２２）に関して説明したように、ライセンス６１０を記述する情報には、たとえば、ＬＩＣＥＮＳＥ＿ＩＤ６１１、ＡＳＳＯＣ＿ＰＴＹ＿ＧＲＰ６１２、およびＬＩＣ＿ＴＹＰＥ＿ＣＯＤＥ５１３が含まれる。
【０１１９】
ライセンス６１０の契約条項及び契約条件はリリース６２０を包含する。リリース６２０は、リリース４１０（図１７）およびリリース５１０（図２２）に関して説明したように、サブフィールドに情報を含む。リリース６２０に関する情報には例えば、ＲＥＬＥＡＳＥ＿ＩＤ６２１、タイトル（ＴＩＴＬＥ）６２２、ＡＳＳＯＣ＿ＰＴＹ＿ＧＲＰ６２３、ＡＳＳＯＣ＿ＩＤ６２４、ＤＥＬ＿ＡＴＴＲＩＢ６２７、および使用（ＵＳＡＧＥ）６２８が含まれる。この実施例では、リリース６２０はまたＣＬＡＩＭＳ＿ＰＥＲＣＥＮＴ６２５も含み、これは例えば、リリース６２０が受ける著作権主張割合の内訳を含む。異なる権利、領域および使用を包含するいくつかの主張のセットが存在してもよい。ＲＯＹ＿ＲＡＴＥ６２６は、リリース６２０が受けるロイヤリティ・レートの詳細を含む。ＭＥＳＳＡＧＥ＿ＴＲＮＳＣＴＮ＿ＲＳＬＴ＿ＧＲＰ６２９は例えば、リリース・レベルでのライセンス通知トランザクション（取引）についての処理結果を含み、これにはいかなる障害についての説明もが含まれる。
【０１２０】
リリース６２０内に含まれたアセットは、図２５〜２７を見るとわかるように、アセット・フィールド６３０およびそのサブフィールドにおいて記述される。アセット４３０（図１７〜１９）およびアセット５３０（図２２〜２４）に関して説明したように、アセット６３０に関する情報には例えば、タイトル（ＴＩＴＬＥ）６３１、ＡＳＳＯＣ＿ＰＴＹ＿ＧＲＰ６３２、ＡＳＳＯＣ＿ＩＤ６３３、ＤＵＲ６３５およびＤＥＬ＿ＡＴＴＲＩＢ６３６が含まれる。この実施例では、アセット６３０はまたＣＬＡＩＭＳ＿ＰＥＲＣＥＮＴ６３４も含み、これは例えば、アセット６３０に適用される著作権主張割合の内訳を含む。異なる権利、領域および使用を包含するいくつかの主張のセットが存在してもよい。ＭＥＳＳＡＧＥ＿ＴＲＮＳＣＴＮ＿ＲＳＬＴ＿ＧＲＰ６３７は例えば、該アセット・レベルでのライセンス通知トランザクションの処理結果を含み、これにはいかなる障害についての説明もが含まれる。
【０１２１】
作品６４０は、特定のアセット６３０において実施される作品を定義および記述する。作品５３０（図２３）に関して、作品６４０は例えば、タイトル（ＴＩＴＬＥ）６４１、ＡＳＳＯＣ＿ＰＴＹ＿ＧＲＰ６４２、およびＡＳＳＯＣ＿ＩＤ６４３を含む情報を備える。この実施例では、作品６４０はまた、ＣＯＰ＿ＳＴＡＴＵＳ＿ＣＯＤＥ６４４も含み、これは作品６４０の著作権状況を示す。
【０１２２】
ＮＡＶ＿ＶＩＥＷ６５０は、リリース６２０内に含まれるアセット６３０の編成および相互関係を記述する。ＮＡＶ＿ＶＩＥＷ４６０（図１８）およびＮＡＶ＿ＶＩＥＷ５５０（図２３）に関して説明したように、ナビゲーション・ビューイング機能に関する情報には例えば、ＡＳＳＥＴ＿ＬＩＳＴ＿ＩＴＥＭ６５１、ＤＵＲ６５２およびＡＳＳＥＴ＿ＲＥＦ６５３が含まれる。ＮＡＶ＿ＶＩＥＷ６５０はまた、従属ナビゲーション・ビューであるＮＡＶ＿ＶＩＥＷ６６０も含むことができる。
【０１２３】
ＩＩＩ．情報アーキテクチャ
図２８は、データが、レコード産業に関連する音楽作品を含む場合における、本発明の一実施形態に係る、リリースおよびライセンス・メタデータへのアクセスをサポートするための情報アーキテクチャを示す図である。レコード会社などといったリリースを担う主体（エンティティ）は好ましくは、リリース・メタデータのためのリポジトリ７００を維持する。例えば、ＲＩＡＡ／ＳＲＤＢ７０２は米国内でリポジトリを維持し、ＣａｔＣｏ７０４は英国内でリポジトリを維持し、ＭＩＮＣ７０６は日本内でリポジトリを維持する。
【０１２４】
協会などのライセンシングを担う主体（エンティティ）は好ましくは、例えばＣＩＳネット７１０などの分散ネットワークを維持して、音楽作品に関する情報へのアクセスを提供する。ＣＩＳネット７１０のライセンシングおよび維持を担う協会には例えば、成功者（ＦａｓｔＴｒａｃｋ）協会７１４、国際音楽ジョイントベンチャ（「ＩＭＪＶ」）７１６、ラテン原作者（ラテン・オーサー）７１８、インタレスト・パーティ識別子（「ＩＰＩ」）７２０およびＷＩＤ７２２が含まれる。もう１つの実施形態では、ＣＩＳネット７１０への拡張が使用されて、これらの音楽作品に関するライセンス情報のためのリポジトリが提供される。
【０１２５】
リポジトリ７００内のリリース情報へのアクセスは、上述のようなリリースＩＤ７０７を使用して、あるいは、例えば、ＩＳＲＣ７０８および／またはＥＡＮ／ＵＰＣ７０９といった何らかの代替識別手段を通じてアクセスすることができる。ＣＩＳネット７１０および／または何らかの追加のリポジトリを通じたライセンス情報へのアクセスは、上述のようなライセンスＩＤ７１２を使用して、あるいは、何らかの代替認識手段、例えばＩＳＷＣ７１３を通じてアクセスすることができる。
【０１２６】
リポジトリ７００内に格納されたリリース情報へのアクセスを、バッチ照会７３０および／またはオンライン照会７３２を使用することで、ＣＩＳネット７１０を通じて達成することができる。代替的には、リリース情報へのアクセスを、リポジトリ７００に直接アクセスすることによって達成することができる。ＣＩＳネット７１０を通じたライセンス情報へのアクセスもまた、バッチ照会７３０および／またはオンライン照会７３２を使用して達成することができる。ライセンス情報が何らかの追加的リポジトリ内に格納されている場合、アクセスを、ＣＩＳネット７１０を通じて達成することができ、あるいは代替的に、直接、当該追加リポジトリへのアクセスを達成することができる。
【０１２７】
ＣＩＳネット７１０のオープン・ネットワーク・アーキテクチャにより、リポジトリ７００は例えば、追加の「ノード」になることができ、したがって、協会に、リリースおよび／または録音についての情報へのアクセスを提供することができる。同様に、ＣＩＳネット７１０は、レコード会社が音楽作品に関するメタデータにアクセスするための手段を提供する。
【０１２８】
図２９は、インターネット８００などといったリリースおよび／またはライセンス・メタデータにアクセスするために使用される通信ネットワークの一実施例を示す図である。ユーザはこのデータに、単一のユーザ端末８０２を使用してアクセスすることができ、例えば顧客が電子音楽ファイルを自宅のコンピュータにダウンロードする。代替的には、ネットワーク環境内のユーザはこのデータに、ユーザ・ネットワーク８０４およびネットワーク化されたユーザ端末８０６を使用して、例えばローカル・エリア・ネットワーク環境内でアクセスすることができる。
【０１２９】
上述のように、リリース・データはリポジトリ７００内に存在し、ライセンス・データには、ＣＩＳネット７１０を使用してアクセスすることができる。実際のライセンス・メタデータは、何らかのリポジトリ、例えばライセンス・リポジトリ８１０内に存在してもよい。一実施形態においては、リリース・データにリポジトリ７００から直接アクセスすることができる。別の実施形態では、リリース・データに、ＣＩＳネット７１０を通じてリンク８２０を介してアクセスすることができる。
【０１３０】
本発明の多数の特徴および利点は明細書の詳細な説明から明らかであり、したがって、添付の特許請求の範囲によって、本発明の真の精神および範囲内に入る本発明のすべてのこのような特徴および利点がカバーされることが意図される。さらに、多数の修正および変形形態は当業者には容易に想起されるので、本発明を、例示および説明した厳密な構成に限定することは望まれず、したがって、本発明の範囲内に入るすべての適切な修正および等価物は権利範囲に画することができる。
以下の表４乃至表７９は国際段階における本願に係る発明の開示の一部を構成するアペンディックスである。
【表４】
2005516279.tif 000005
【表５】
2005516279.tif 000006
【表６】
2005516279.tif 000007
【表７】
2005516279.tif 000008
【表８】
2005516279.tif 000009
【表９】
2005516279.tif 000010
【表１０】
2005516279.tif 000011
【表１１】
2005516279.tif 000012
【表１２】
2005516279.tif 000013
【表１３】
2005516279.tif 000014
【表１４】
2005516279.tif 000015
【表１５】
2005516279.tif 000016
【表１６】
2005516279.tif 000017
【表１７】
2005516279.tif 000018
【表１８】
2005516279.tif 000019
【表１９】
2005516279.tif 000020
【表２０】
2005516279.tif 000021
【表２１】
2005516279.tif 000022
【表２２】
2005516279.tif 000023
【表２３】
2005516279.tif 000024
【表２４】
2005516279.tif 000025
【表２５】
2005516279.tif 000026
【表２６】
2005516279.tif 000027
【表２７】
2005516279.tif 000028
【表２８】
2005516279.tif 000029
【表２９】
2005516279.tif 000030
【表３０】
2005516279.tif 000031
【表３１】
2005516279.tif 000032
【表３２】
2005516279.tif 000033
【表３３】
2005516279.tif 000034
【表３４】
2005516279.tif 000035
【表３５】
2005516279.tif 000036
【表３６】
2005516279.tif 000037
【表３７】
2005516279.tif 000038
【表３８】
2005516279.tif 000039
【表３９】
2005516279.tif 000040
【表４０】
2005516279.tif 000041
【表４１】
2005516279.tif 000042
【表４２】
2005516279.tif 000043
【表４３】
2005516279.tif 000044
【表４４】
2005516279.tif 000045
【表４５】
2005516279.tif 000046
【表４６】
2005516279.tif 000047
【表４７】
2005516279.tif 000048
【表４８】
2005516279.tif 000049
【表４９】
2005516279.tif 000050
【表５０】
2005516279.tif 000051
【表５１】
2005516279.tif 000052
【表５２】
2005516279.tif 000053
【表５３】
2005516279.tif 000054
【表５４】
2005516279.tif 000055
【表５５】
2005516279.tif 000056
【表５６】
2005516279.tif 000057
【表５７】
2005516279.tif 000058
【表５８】
2005516279.tif 000059
【表５９】
2005516279.tif 000060
【表６０】
2005516279.tif 000061
【表６１】
2005516279.tif 000062
【表６２】
2005516279.tif 000063
【表６３】
2005516279.tif 000064
【表６４】
2005516279.tif 000065
【表６５】
2005516279.tif 000066
【表６６】
2005516279.tif 000067
【表６７】
2005516279.tif 000068
【表６８】
2005516279.tif 000069
【表６９】
2005516279.tif 000070
【表７０】
2005516279.tif 000071
【表７１】
2005516279.tif 000072
【表７２】
2005516279.tif 000073
【表７３】
2005516279.tif 000074
【表７４】
2005516279.tif 000075
【表７５】
2005516279.tif 000076
【表７６】
2005516279.tif 000077
【表７７】
2005516279.tif 000078
【表７８】
2005516279.tif 000079
【表７９】
2005516279.tif 000080
【産業上の利用可能性】
【０１３１】
本発明によれば、異なる音楽著作権協会（「協会」）およびレコード会社は、音楽作品および（音楽）録音（物）を正確に識別する能力に依存して、それぞれ音楽作品にライセンス供与し、録音（体）およびこれらの録音（体）を含む製品をリリースする。関係者は、音楽が「使用」されるときはいつでも、音楽作品および録音（体）を一意に識別する作業に関連する業務過程からの相当な量のコストを負う。多数の音楽産業組織のデータベース内で、録音情報が音楽作品情報にリンクされることで、例えば、識別が可能になる。
また、本発明によれば、リリース識別子をライセンス識別子にリンクさせると共に、国際標準レコーディング・コード（ＩＳＲＣ）を国際標準音楽著作物コード（ＩＳＷＣ）にリンクさせて、音楽作品と音楽作品が現れる録音（体）の間の関係を確立することによって、録音および音楽作品を正確に識別するための能力が大幅に改善される。
【図面の簡単な説明】
【０１３２】
【図１】企業データ・モデリングへの情報リポジトリの従来技術における適用を例示する図である。
【図２】安全的電子著作権管理のための従来技術のシステムを例示する図である。
【図３】通信プロジェクトのためのコンテンツのライセンシングおよび管理を促進させるための従来技術のプロセスを例示する図である。
【図４】従来技術のディスク識別情報のレイアウトを示すブロック図の一例を示す図である。
【図５】顧客がプリペイド・メディアを使用して電子コンテンツを選択およびダウンロードするための従来技術における方法を例示する図である。
【図６】本発明の一実施形態に係るリリースおよびライセンス識別システムの間の関係のためのモデルを例示する図である。
【図７】本発明の一実施形態に係るリリースおよびライセンスの識別および記述の管理の方法を例示するフローチャートである。
【図８】本発明の一実施形態に係るリリースおよび／またはライセンス情報の交換の方法を例示するフローチャートである。
【図９】本発明の一実施形態に係るリリース識別子の一例を示す図である。
【図１０】本発明によるリリース識別子のもう１つの実施形態を例示する図である。
【図１１】マルチ・アセット知的所有権バンドル（束）を含むリリースのための構造の一実施例を例示する図である。
【図１２】本発明の一実施形態に係るライセンス識別子の一例を示す図である。
【図１３】本発明の一実施形態に係るライセンス識別子の一例を示す図である。
【図１４】本発明の一実施形態に係る発行者コードを割り当てるためのプロセスを例示する図である。
【図１５】会社間販売報告取引のためのトランザクション・メッセージにおけるフィールドの一実施例を例示する図である。
【図１６】会社間販売報告取引のためのトランザクション・メッセージにおけるフィールドの一実施例を例示する図である。
【図１７】小売通知取引のためのトランザクション・メッセージにおけるフィールドの一実施例を例示する図である。
【図１８】小売通知取引のためのトランザクション・メッセージにおけるフィールドの一実施例を例示する図である。
【図１９】小売通知取引のためのトランザクション・メッセージにおけるフィールドの一実施例を例示する図である。
【図２０】リリースのためのナビゲーション・ビュー機能の一実施例を例示する図である。
【図２１】リリースのためのナビゲーション・ビュー機能のもう１つの実施例を例示する図である。
【図２２】リリース通知ライセンシング取引のためのトランザクション・メッセージにおけるフィールドの一実施例を例示する図である。
【図２３】リリース通知ライセンシング取引のためのトランザクション・メッセージにおけるフィールドの一実施例を例示する図である。
【図２４】リリース通知ライセンシング取引のためのトランザクション・メッセージにおけるフィールドの一実施例を例示する図である。
【図２５】リリース確認ライセンシング取引のためのトランザクション・メッセージにおけるフィールドの一実施例を例示する図である。
【図２６】リリース確認ライセンシング取引のためのトランザクション・メッセージにおけるフィールドの一実施例を例示する図である。
【図２７】リリース確認ライセンシング取引のためのトランザクション・メッセージにおけるフィールドの一実施例を例示する図である。
【図２８】本発明の一実施形態に係るリリースおよびライセンス・メタデータへのアクセスを支持するための情報構造を示す図である。
【図２９】本発明の一実施形態に係るリリースおよびライセンス・メタデータにアクセスするための通信ネットワークを示す図である。
【符号の説明】
【０１３３】
１０    リリース識別及び記述
１２    リリースＩＤ、タイトル、アーティストなど
１４    ＩＳＲＣ−１：タイトル、アーティスト、レコード会社など
１６    ＩＳＲＣ−２：タイトル、アーティスト、レコード会社など
１８    ＩＳＲＣ−３：タイトル、アーティスト、レコード会社など
２０    ライセンス識別および記述実行部
２２    ライセンスＩＤ、ライセンシー、ライセンサーなど
２４    ＩＳＷＣ−１：タイトル、作曲家、作者など
２６    ＩＳＷＣ−２：タイトル、作曲家、作者など
２８    ＩＳＷＣ−３：タイトル、作曲家、作者など
３０    情報主体間の正当性ある関連付けを作成するための要件
５０    レコード・レーベル
６０    音楽出版社
７０    音楽著作権協会
２００    リリースＩＤ
２０２    リリース識別子スキーム
２０４    発行者コード
２０６    知的所有権束（バンドル）番号
２０８    配信属性拡張子
２１０    チェック文字
【図１】
2005516279.tif 000081
【図２】
2005516279.tif 000082
【図３】
2005516279.tif 000083
【図４】
2005516279.tif 000084
【図５】
2005516279.tif 000085
【図６】
2005516279.tif 000086
【図７】
2005516279.tif 000087
【図８】
2005516279.tif 000088
【図９】
2005516279.tif 000089
【図１０】
2005516279.tif 000090
【図１１】
2005516279.tif 000091
【図１２】
2005516279.tif 000092
【図１３】
2005516279.tif 000093
【図１４】
2005516279.tif 000094
【図１５】
2005516279.tif 000095
【図１６】
2005516279.tif 000096
【図１７】
2005516279.tif 000097
【図１８】
2005516279.tif 000098
【図１９】
2005516279.tif 000099
【図２０】
2005516279.tif 000100
【図２１】
2005516279.tif 000101
【図２２】
2005516279.tif 000102
【図２３】
2005516279.tif 000103
【図２４】
2005516279.tif 000104
【図２５】
2005516279.tif 000105
【図２６】
2005516279.tif 000106
【図２７】
2005516279.tif 000107
【図２８】
2005516279.tif 000108
【図２９】
2005516279.tif 000109
【手続補正書】
【提出日】平成15年12月22日(2003.12.22)
【手続補正１】
【補正対象書類名】特許請求の範囲
【補正対象項目名】全文
【補正方法】変更
【補正の内容】
【特許請求の範囲】
【請求項１】
データ配列、データ集合およびデータ・セットのうち少なくとも１つ及び該データに関連する少なくとも１つの知的所有権を含むデータに係る識別、検証、認証および使用のうち少なくとも１つに関するリリース識別子情報を含むデータ構造を格納するメモリであって、該データ構造は、命令がデータ・プロセッサおよびコンピュータのうちの少なくとも１つによって実施されることに応答して前記メモリから検索され、前記データ構造は、
発行者コードを含む第１のデータ要素と、
知的所有権バンドル（束）番号を含む第２のデータ要素と、
チェック文字を含む第３のデータ要素とを備え、前記第１、第２および第３のデータ要素は、前記データの識別、検証、認証および使用のうちの少なくとも１つにおいて使用されることを特徴とするメモリ。
【請求項２】
前記発行者コードは、リリース識別子の発行を担う主体を一意に識別することを特徴とする請求項１記載のメモリ。
【請求項３】
前記知的所有権バンドル（束）番号が、前記発行者コードを割り当てられている主体によって一意に割り振られることで、リリースに関連する知的所有権アセットの集合および添付のメタデータを特徴付ける情報が識別されることを特徴とする請求項１記載のメモリ。
【請求項４】
前記チェック文字はリリース識別子から計算され、前記リリース識別子の前記メモリへの正確な入力を容易にするために使用されることを特徴とする請求項１記載のメモリ。
【請求項５】
前記データ構造は、配信属性拡張子を含む第４のデータ要素をさらに含むことを特徴とする請求項１記載のメモリ。
【請求項６】
前記配信属性拡張子が、前記発行者コードを割り当てられている主体によって一意に割り振られる結果、リリースの異なるバージョンの間で区別されることを特徴とする請求項５記載のメモリ。
【請求項７】
前記データ構造は、リリース識別子スキームを含む第５のデータ要素をさらに含むことを特徴とする請求項１記載のメモリ。
【請求項８】
前記リリース識別子スキームは、リリースのための識別スキームを一意に識別することを特徴とする請求項７記載のメモリ。
【請求項９】
データ配列、データ集合およびデータ・セットのうち少なくとも１つ及び該データに関連する少なくとも１つの知的所有権を含むデータに係る識別、検証、認証および使用のうち少なくとも１つに関するライセンス識別子情報を含むデータ構造を格納するメモリであって、該データ構造は、命令がデータ・プロセッサおよびコンピュータのうちの少なくとも１つによって実施されることに応答して前記メモリから検索され、前記データ構造は、
発行者コードを含む第１のデータ要素と、
ライセンス参照を含む第２のデータ要素と、
チェック文字を含む第３のデータ要素とを備え、前記第１、第２および第３のデータ要素は、前記データの識別、検証、認証および使用のうちの少なくとも１つにおいて使用されることを特徴とするメモリ。
【請求項１０】
前記発行者コードは、ライセンス識別子の発行を担う主体を一意に識別することを特徴とする請求項９記載のメモリ。
【請求項１１】
前記ライセンス参照が、前記発行者コードを割り当てられている主体によって一意に割り振られて、ライセンス、および、該ライセンスに関連する添付メタデータが識別されることを特徴とする請求項９記載のメモリ。
【請求項１２】
前記チェック文字はライセンス識別子から計算され、前記ライセンス識別子の前記メモリへの正確な入力を容易にするために使用されることを特徴とする請求項９記載のメモリ。
【請求項１３】
前記データ構造は、協会補助拡張子を含む第４のデータ要素をさらに含むことを特徴とする請求項９記載のメモリ。
【請求項１４】
前記協会補助拡張子が、前記発行者コードを割り当てられている主体によって一意に割り振られる結果、ライセンスの異なるバージョンの間で区別されることを特徴とする請求項１３記載のメモリ。
【請求項１５】
前記データ構造は、識別子スキームを含む第５のデータ要素をさらに含むことを特徴とする請求項９記載のメモリ。
【請求項１６】
前記識別子スキームは、ライセンスのための識別スキームを一意に識別することを特徴とする請求項１５記載のメモリ。
【請求項１７】
データ配列、データ集合およびデータ・セットのうち少なくとも１つ及び該データに関連する少なくとも１つの知的所有権を含むデータに係る識別、検証、認証および使用のうち少なくとも１つに関するリリース識別子情報を含むデータ構造を格納するメモリであって、該データ構造は、命令がデータ・プロセッサおよびコンピュータのうちの少なくとも１つによって実施されることに応答して前記メモリから検索され、前記データ構造は、
識別子スキームを含む第１のデータ要素であって、該識別子スキームは２個の有効文字を含む第１のデータ要素と、
発行者コードを含む第２のデータ要素であって、該発行者コードは５個の有効文字を含み、前記第１のデータ要素は該第２のデータ要素に先行する第２のデータ要素と、
知的所有権バンドル番号を含む第３のデータ要素であって、該知的所有権バンドルは１０個の有効文字を含み、前記第２のデータ要素は該第３のデータ要素に先行し、有効文字は、ローマ字アルファベットのうち「Ｉ」および「Ｏ」を除くいずれかの大文字、および、いずれかのアラビア数字のうちの１つであり、前記有効文字はＡＳＣＩＩコードを使用して定義される第３のデータ要素と、
チェック文字を含む第４のデータ要素であって、該チェック文字は、ローマ字アルファベットのいずれかの大文字、および、いずれかのアラビア数字のうちの１つを含む１文字を含み、前記文字はＡＳＣＩＩコードを使用して定義され、前記第３のデータ要素は該第４のデータ要素に先行する第４のデータ要素と
を具備することを特徴とするメモリ。
【請求項１８】
前記第１、第２、第３および第４のデータ要素はハイフンによって区切られることを特徴とする請求項１７記載のメモリ。
【請求項１９】
データ配列、データ集合およびデータ・セットのうち少なくとも１つ及び該データに関連する少なくとも１つの知的所有権を含むデータに係る識別、検証、認証および使用のうち少なくとも１つに関するリリース識別子情報を含むデータ構造を格納するメモリであって、該データ構造は、命令がデータ・プロセッサおよびコンピュータのうちの少なくとも１つによって実施されることに応答して前記メモリから検索され、前記データ構造は、
識別子スキームを含む第１のデータ要素であって、該識別子スキームは２個の有効文字を含む第１のデータ要素と、
発行者コードを含む第２のデータ要素であって、該発行者コードは５個の有効文字を含み、前記第１のデータ要素は該第２のデータ要素に先行する第２のデータ要素と、
知的所有権バンドル番号を含む第３のデータ要素であって、該知的所有権バンドルは７個の有効文字を含み、前記第２のデータ要素は該第３のデータ要素に先行する第３のデータ要素と、
配信属性拡張子を含む第４のデータ要素であって、該配信属性拡張子は３個の有効文字を含み、前記第３のデータ要素は該第４のデータ要素に先行し、有効文字は、ローマ字アルファベットのうち「Ｉ」および「Ｏ」を除くいずれかの大文字、および、いずれかのアラビア数字のうちの１つであり、前記有効文字はＡＳＣＩＩコードを使用して定義される第４のデータ要素と、
チェック文字を含む第５のデータ要素であって、該チェック文字は、ローマ字アルファベットのいずれかの大文字、および、いずれかのアラビア数字のうちの１つを含む１文字を含み、該文字はＡＳＣＩＩコードを使用して定義され、前記第４のデータ要素は該第５のデータ要素に先行する第５のデータ要素と
を具備することを特徴とするメモリ。
【請求項２０】
前記第１、第２、第３、第４および第５のデータ要素はハイフンによって区切られることを特徴とする請求項１９記載のメモリ。
【請求項２１】
データ配列、データ集合およびデータ・セットのうち少なくとも１つ及び該データに関連する少なくとも１つの知的所有権を含むデータに係る識別、検証、認証および使用のうち少なくとも１つに関するライセンス識別子情報を含むデータ構造を格納するメモリであって、該データ構造は、命令がデータ・プロセッサおよびコンピュータのうちの少なくとも１つによって実施されることに応答して前記メモリから検索され、前記データ構造は、
識別子スキームを含む第１のデータ要素であって、該識別子スキームは２個の有効文字を含む第１のデータ要素と、
発行者コードを含む第２のデータ要素であって、該発行者コードは５個の有効文字を含み、前記第１のデータ要素は該第２のデータ要素に先行する第２のデータ要素と、
ライセンス参照を含む第３のデータ要素であって、該ライセンス参照は１０個の有効文字を含み、前記第２のデータ要素は該第３のデータ要素に先行し、該第３のデータ要素は第４のデータ要素に先行し、有効文字は、ローマ字アルファベットのうち「Ｉ」および「Ｏ」を除くいずれかの大文字、および、いずれかのアラビア数字のうちの１つであり、前記有効文字はＡＳＣＩＩコードを使用して定義される第３のデータ要素と、
チェック文字を含む第４のデータ要素であって、該チェック文字は、ローマ字アルファベットのいずれかの大文字、および、いずれかのアラビア数字のうちの１つを含む１文字を含み、前記文字はＡＳＣＩＩコードを使用して定義され、前記第３のデータ要素は該第４のデータ要素に先行する第４のデータ要素と
を具備することを特徴とするメモリ。
【請求項２２】
前記第１、第２、第３および第４のデータ要素はハイフンによって区切られることを特徴とする請求項２１記載のメモリ。
【請求項２３】
データ配列、データ集合およびデータ・セットのうち少なくとも１つ及び該データに関連する少なくとも１つの知的所有権を含むデータに係る識別、検証、認証および使用のうち少なくとも１つに関するライセンス識別子情報を含むデータ構造を格納するメモリであって、該データ構造は、命令がデータ・プロセッサおよびコンピュータのうちの少なくとも１つによって実施されることに応答して前記メモリから検索され、前記データ構造は、
識別子スキームを含む第１のデータ要素であって、該識別子スキームは２個の有効文字を含む第１のデータ要素と、
発行者コードを含む第２のデータ要素であって、該発行者コードは５個の有効文字を含み、前記第１のデータ要素は該第２のデータ要素に先行する第２のデータ要素と、
ライセンス参照を含む第３のデータ要素であって、該ライセンス参照は７個の有効文字を含み、前記第２のデータ要素は該第３のデータ要素に先行する第３のデータ要素と、
協会補助拡張子を含む第４のデータ要素であって、該協会補助拡張子は３個の有効文字を含み、前記第３のデータ要素は該第４のデータ要素に先行し、有効文字は、ローマ字アルファベットのうち「Ｉ」および「Ｏ」を除くいずれかの大文字、および、いずれかのアラビア数字のうちの１つであり、前記有効文字はＡＳＣＩＩコードを使用して定義される第４のデータ要素と、
チェック文字を含む第５のデータ要素であって、該チェック文字は、ローマ字アルファベットのいずれかの大文字、および、いずれかのアラビア数字のうちの１つを含む１文字を含み、前記文字はＡＳＣＩＩコードを使用して定義され、前記第４のデータ要素は該第５のデータ要素に先行する第５のデータ要素と
を具備することを特徴とするメモリ。
【請求項２４】
前記第１、第２、第３、第４および第５のデータ要素はハイフンによって区切られることを特徴とする請求項２３記載のメモリ。
【請求項２５】
少なくとも１つのリリースの識別および記述を管理する方法において、
前記少なくとも１つのリリースのコンテンツを決定し、
前記少なくとも１つのリリースのうち一意のものに関連する少なくとも１つのリリース識別子を得、
前記少なくとも１つのリリースのコンテンツに関連する音楽作品詳細を得、
少なくとも１つのレーベル・コピーをコンパイルする方法であって、該少なくとも１つのレーベル・コピーは、前記少なくとも１つのリリースのコンテンツ、前記少なくとも１つのリリース識別子および前記音楽作品詳細を含むことを特徴とする方法。
【請求項２６】
前記少なくとも１つのリリース識別子を得るステップは、少なくとも１つの発行者コードを得るステップをさらに含み、該発行者コードは中央登録サービスによって発行され、前記少なくとも１つのリリースを発行する少なくとも１つの発行主体のうち一意のものに割り当てられることを特徴とする請求項２５記載の方法。
【請求項２７】
前記少なくとも１つのリリース識別子を得るステップは、少なくとも１つの知的所有権バンドル番号を得るステップをさらに含み、該少なくとも１つの知的所有権バンドル番号は、発行者コードを割り当てられている主体によって一意に割り振られることで、前記少なくとも１つのリリースに関連付けられた知的所有権アセットの集合および添付メタデータを特徴付ける情報が識別されることを特徴とする請求項２５記載の方法。
【請求項２８】
前記少なくとも１つのリリース識別子を得るステップは、チェック文字を計算するステップをさらに含むことを特徴とする請求項２５記載の方法。
【請求項２９】
前記少なくとも１つのリリース識別子を得るステップは、配信属性拡張子を得るステップをさらに含み、該配信属性拡張子は、発行者コードを割り当てられている主体によって一意に割り振られることで前記少なくとも１つのリリースの異なるバージョンの間で区別されることを特徴とする請求項２５記載の方法。
【請求項３０】
前記少なくとも１つのリリース識別子を得るステップは、リリース識別子スキームを得るステップをさらに含み、該リリース識別子スキームは、前記少なくとも１つのリリースのための識別スキームを一意に識別することを特徴とする請求項２５記載の方法。
【請求項３１】
少なくとも１つのリリースに関連する少なくとも１つのライセンスの識別および記述を管理する方法において、
少なくとも１つのライセンシング主体に前記少なくとも１つのリリースを通知するステップと、
前記少なくとも１つのライセンスの条件を決定するステップであって、該条件は、前記少なくとも１つのライセンシング主体と前記少なくとも１つのリリースを発行する少なくとも１つの発行主体との間で交渉されるステップと、
前記少なくとも１つのライセンスのうち一意のものに関連付けられた少なくとも１つのライセンス識別子を生成するステップと
を具備することを特徴とする方法。
【請求項３２】
前記少なくとも１つのライセンス識別子を得るステップは、少なくとも１つの発行者コードを生成するステップをさらに含み、該発行者コードは中央登録サービスによって発行され、前記少なくとも１つのライセンスを発行する前記少なくとも１つのライセンシング主体のうち一意のものに割り当てられることを特徴とする請求項３１記載の方法。
【請求項３３】
前記少なくとも１つのライセンス識別子を得るステップは、少なくとも１つのライセンス参照を得るステップをさらに含み、該少なくとも１つのライセンス参照は、発行者コードを割り当てられている前記少なくとも１つのライセンシング主体のうち一意のものによって一意に割り振られることで、前記少なくとも１つのライセンスに関連する前記少なくとも１つのライセンスおよび添付メタデータが識別されることを特徴とする請求項３１記載の方法。
【請求項３４】
前記少なくとも１つのライセンス識別子を得るステップは、チェック文字を計算するステップをさらに含むことを特徴とする請求項３１記載の方法。
【請求項３５】
前記少なくとも１つのライセンス識別子を生成するステップは、協会補助拡張子を得るステップをさらに含み、該協会補助拡張子は、発行者コードを割り当てられている前記少なくとも１つのライセンシング主体の１つによって一意に割り振られることで前記少なくとも１つのライセンスの異なるバージョンの間で区別されることを特徴とする請求項３１記載の方法。
【請求項３６】
前記少なくとも１つのライセンス識別子を得るステップは、ライセンス識別子スキームを得るステップをさらに含み、該ライセンス識別子スキームは、前記少なくとも１つのライセンスのための識別スキームを一意に識別することを特徴とする請求項３１記載の方法。
【請求項３７】
１対多関係が前記少なくとも１つのライセンスと前記少なくとも１つのリリースとの間にあり、前記少なくとも１つのライセンス識別子によって識別された前記少なくとも１つのライセンスが複数のリリースに関連付けられるようになることを特徴とする請求項３１記載の方法。
【請求項３８】
１対多関係が前記少なくとも１つのライセンスと前記少なくとも１つのリリースとの間にあり、前記少なくとも１つのリリースが、前記少なくとも１つのライセンス識別子によって識別される複数のライセンスに関連付けられるようになることを特徴とする請求項３１記載の方法。
【請求項３９】
リリース識別子を管理する方法において、
少なくとも１つの発行者コードを発行するステップであって、該少なくとも１つの発行者コードは中央登録サービスによって発行され、少なくとも１つの発行主体のうち一意のものに割り当てられるステップと、
前記少なくとも１つの発行者コードを含むリリース識別子を有する少なくとも１つのリリースを発行するステップであって、該少なくとも１つのリリースは、前記少なくとも１つの発行主体のうち前記一意のものによって発行されるステップと
を具備することを特徴とする方法。
【請求項４０】
ライセンス識別子を管理する方法において、
少なくとも１つの発行者コードを発行するステップであって、該少なくとも１つの発行者コードは中央登録サービスによって発行され、少なくとも１つのライセンシング主体のうち一意のものに割り当てられるステップと、
前記少なくとも１つの発行者コードを含むライセンス識別子を有する少なくとも１つのライセンスを発行するステップであって、該少なくとも１つのライセンスは、前記少なくとも１つのライセンシング主体のうち前記一意のものによって発行されるステップと
を具備することを特徴とする方法。
【請求項４１】
少なくとも１つのリリースに関する情報を交換する方法において、
第１の主体によって、前記少なくとも１つのリリースに関連付けられたリリース識別子およびメタデータを、該第１の主体に関連する第１のメーカ独自のフォーマットから標準フォーマットへ変換するステップであって、該標準フォーマットは標準メタデータ・スキーマを含むステップと、
前記第１の主体によって、前記少なくとも１つのリリースに関連付けられた前記リリース識別子および前記メタデータを、前記標準メタデータ・スキーマ内の適切なフィールドにマッピングするステップと、
前記リリース識別子およびメタデータを前記第１の主体から第２の主体に送信するステップと、
前記第２の主体によって、前記少なくとも１つのリリースに関連付けられた前記リリース識別子および前記メタデータを、前記標準フォーマットから前記第２の主体に関連する第２のメーカ独自のフォーマットへ変換するステップであって、前記リリース識別子および前記メタデータは、前記少なくとも１つのリリースを識別および記述するステップと
を具備することを特徴とする方法。
【請求項４２】
少なくとも１つのライセンスに関する情報を交換する方法において、
第１の主体によって、前記少なくとも１つのライセンスに関連付けられたライセンス識別子およびメタデータを、前記第１の主体に関連する第１のメーカ独自のフォーマットから標準フォーマットへ変換するステップであって、該標準フォーマットは標準メタデータ・スキーマを含むステップと、
前記第１の主体によって、前記少なくとも１つのライセンスに関連付けられた前記ライセンス識別子および前記メタデータを、前記標準メタデータ・スキーマ内の適切なフィールドにマッピングするステップと、
前記ライセンス識別子およびメタデータを前記第１の主体から第２の主体に送信するステップと、
前記第２の主体によって、前記少なくとも１つのライセンスに関連付けられた前記ライセンス識別子および前記メタデータを、前記標準フォーマットから前記第２の主体に関連する第２のメーカ独自のフォーマットへ変換するステップであって、前記ライセンス識別子および前記メタデータは前記少なくとも１つのライセンスを識別および記述するステップと
を具備することを特徴とする方法。
【請求項４３】
音楽作品または録音の少なくとも１つのリリースに関する情報を交換する方法において、
第１の主体によって、前記少なくとも１つのリリースに関連付けられたリリース識別子およびデータを、該第１の主体に関連する第１のフォーマットから標準フォーマットへ変換するステップであって、該標準フォーマットはデータ・スキーマを含むステップと、
前記第１の主体によって、前記少なくとも１つのリリースに関連付けられた前記リリース識別子および前記データを、前記データ・スキーマ内のフィールドにマッピングするステップと、
前記リリース識別子および前記データを前記第１の主体から第２の主体に送信するステップと、
前記第２の主体によって、前記少なくとも１つのリリースに関連付けられた前記リリース識別子および前記データを、前記標準フォーマットから前記第２の主体に関連する第２のフォーマットへ変換するステップであって、前記リリース識別子および前記データは前記少なくとも１つのリリースを識別および記述するステップと
を具備することを特徴とする方法。
【請求項４４】
音楽作品または録音の少なくとも１つのリリースに関連付けられた少なくとも１つのライセンスに関する情報を交換する方法において、
第１の主体によって、前記少なくとも１つのライセンスに関連付けられたライセンス識別子およびデータを、該第１の主体に関連する第１のフォーマットから標準フォーマットへ変換するステップであって、該標準フォーマットはデータ・スキーマを含むステップと、
前記第１の主体によって、前記少なくとも１つのライセンスに関連付けられた前記ライセンス識別子および前記データを前記データ・スキーマ内のフィールドにマッピングするステップと、
前記ライセンス識別子および前記データを前記第１の主体から第２の主体に送信するステップと、
前記第２の主体によって、前記少なくとも１つのライセンスに関連付けられた前記ライセンス識別子および前記データを、前記標準フォーマットから前記第２の主体に関連する第２のフォーマットへ変換するステップであって、前記ライセンス識別子および前記データは前記少なくとも１つのライセンスを識別および記述するステップと
を具備することを特徴とする方法。
【請求項４５】
作品または音の少なくとも１つのリリースに関する情報を交換する方法において、
第１の主体によって、前記少なくとも１つのリリースに関連付けられたリリース識別子およびデータを、実質的に標準のフォーマットで割り当てるステップであって、該実質的に標準のフォーマットはデータ・スキーマを含むステップと、
前記第１の主体によって、前記少なくとも１つのリリースに関連付けられた前記リリース識別子および前記データを前記データ・スキーマ内の適切なフィールドにマッピングするステップと、
前記リリース識別子および前記データを前記第１の主体から第２の主体に送信するステップと、
前記第２の主体によって、前記実質的に標準のフォーマットを使用する前記少なくとも１つのリリースに関連付けられた前記リリース識別子および前記データを、前記リリース識別子および前記データを使用して処理することにより、前記第２の主体のための前記少なくとも１つのリリースを識別および記述するステップと
を具備することを特徴とする方法。
【請求項４６】
作品または音の少なくとも１つのリリースに関連付けられた少なくとも１つのライセンスに関する情報を交換する方法において、
第１の主体によって、前記少なくとも１つのライセンスに関連付けられたライセンス識別子およびデータを実質的に標準のフォーマットで割り当てるステップであって、該標準フォーマットはデータ・スキーマを含むステップと、
前記第１の主体によって、前記少なくとも１つのライセンスに関連付けられた前記ライセンス識別子および前記データを前記データ・スキーマ内の適切なフィールドにマッピングするステップと、
前記ライセンス識別子および前記データを前記第１の主体から第２の主体に送信するステップと、
前記第２の主体によって、前記標準フォーマットを使用する前記少なくとも１つのライセンスに関連付けられた前記ライセンス識別子および前記データを、前記ライセンス識別子および前記データを使用して処理することにより、前記第２の主体のための前記少なくとも１つのライセンスを識別および記述するステップと
を具備することを特徴とする方法。
【請求項４７】
前記少なくとも１つのライセンスに関連付けられた前記データは、前記リリースの下のライセンシング条件、ライセンシーおよびライセンサー、該ライセンシング・スキームの操作上の性質、該ライセンスに関連するイベント、該ライセンスによって保護された権利、および該ライセンス下で許可された使用のうち、少なくとも１つを識別する情報をさらに含むことを特徴とする請求項４６記載の方法。
【請求項４８】
前記少なくとも１つのリリースに関連付けられた前記データは、元のタイトル、メイン・アーティスト、貢献者、リリースするレコード会社、マーケティング・レーベル、代替的識別子、該リリースに関連するイベント、ジャンル、技術的仕様、所期の使用許可のうち、少なくとも１つを識別することを特徴とする請求項４５記載の方法。
【国際調査報告】
2005516279.tif 000110